(57)【特許請求の範囲】
【請求項１】
伝送ステータス判定方法であって、当該方法が、
受信端デバイスにより、第１の時間期間に、送信端デバイスにより送出される第１のシンボルシーケンスを受信するステップと、
第１の変調パラメータセットを、前記第１のシンボルシーケンスに従って判定するステップであって、前記第１の変調パラメータセットは、前記送信端デバイスが変調処理を実行して前記第１のシンボルシーケンスを生成するときに使用される変調パラメータセットであり、前記変調パラメータセットは、下記のもの、すなわち、コンステレーションポイントセット又は符号帳のうちの少なくとも１つを含む、判定するステップと、
あらかじめセットされた第１のマッピング関係情報に従って、前記第１の変調パラメータセットに対応する第１の伝送ステータスを、第２の時間期間における前記送信端デバイスの伝送ステータスとして判定するステップであって、前記第１のマッピング関係情報はＮ個の伝送ステータスとＮ個の変調パラメータセットとの間の１対１のマッピング関係を指示するために使用され、前記第１の変調パラメータセットは前記Ｎ個の変調パラメータセットに属し、前記第１の伝送ステータスは前記Ｎ個の伝送ステータスに属し、前記第２の時間期間は前記第１の時間期間より後であり、Ｎ≧２である、判定するステップとを含む、伝送ステータス判定方法。
【請求項２】
当該方法が、
あらかじめセットされた第２のマッピング関係情報に従って、前記第１の伝送ステータスに対応する第２の伝送パラメータセットを判定するステップであって、前記第２のマッピング関係情報は前記Ｎ個の伝送ステータスとＮ個の伝送パラメータセットとの間の１対１のマッピング関係を指示するために使用され、前記第２の伝送パラメータセットは前記Ｎ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定するステップをさらに含む、請求項１に記載の方法。
【請求項３】
当該方法が、
前記第２の時間期間に、前記送信端デバイスにより送信される第２のシンボルシーケンスを前記第２の伝送パラメータセットに従って受信するステップをさらに含む、請求項２に記載の方法。
【請求項４】
前記第２のシンボルシーケンスは、第２の変調パラメータセットに基づいて変調処理が実行された後に生成されるシンボルであり、前記第２の変調パラメータセットは第２の伝送ステータスに対応し、前記第２の伝送ステータスは第３の時間期間における前記送信端デバイスの伝送ステータスであり、前記第３の時間期間は前記第２の時間期間より後である、請求項３に記載の方法。
【請求項５】
受信端デバイスにより、第１の時間期間に、送信端デバイスにより送出される第１のシンボルシーケンスを受信する前記ステップは、
前記送信端デバイスと前記受信端デバイスとの間で前記第１の時間期間より前の第１のあらかじめセットされた継続期間範囲内に情報が伝送されないと判定されるとき、前記受信端デバイスにより、前記第１の時間期間に、前記送信端デバイスにより送出される前記第１のシンボルシーケンスをあらかじめセットされた第１の伝送パラメータセットに従って受信するステップであって、前記第１の伝送パラメータセットは、下記の伝送パラメータ、すなわち、フレーム構造、再伝送ポリシー、又は変調及びコーディングスキームのうちの少なくとも１つを含む、受信するステップを含む、請求項１から請求項４のいずれか一項に記載の方法。
【請求項６】
第１の変調パラメータセットを、前記第１のシンボルシーケンスに従って判定する前記ステップは、
シンボルサブシーケンスを前記第１のシンボルシーケンスから切り取るステップであって、前記シンボルサブシーケンスは少なくとも２つのシンボルを含む、切り取るステップと、
前記第１の変調パラメータセットを、前記シンボルサブシーケンスに従って判定するステップとを含む、請求項１から請求項５のいずれか一項に記載の方法。
【請求項７】
前記シンボルサブシーケンスは、前記第１のシンボルシーケンス内の最初のＫ個のシンボルであり、Ｋはあらかじめセットされた値であり、Ｋ≧２であるか、又は、
前記シンボルサブシーケンスは、前記受信端デバイスとネットワークデバイスとの間のチャネルの品質が、あらかじめセットされた条件を満たすときに受信される、前記第１のシンボルシーケンス内のシンボルを含む、請求項６に記載の方法。
【請求項８】
前記Ｎ個の伝送ステータスは、下記の状態、すなわち、
小サイズパケット伝送状態、普通伝送状態、又は大スループット伝送状態のうちの少なくとも１つを含む、請求項１から請求項７のいずれか一項に記載の方法。
【請求項９】
前記Ｎ個の伝送ステータスが小サイズパケット伝送状態を含むとき、前記小サイズパケット伝送状態に対応する伝送パラメータセットでは、
前記伝送パラメータセットがフレーム構造を含むならば、前記フレーム構造は１ｍｓ未満のフレーム長を伴うフレーム構造であるか、
前記伝送パラメータセットが再伝送ポリシーを含むならば、前記再伝送ポリシーは高速再伝送であるか、又は、
前記伝送パラメータセットが変調及びコーディングスキームを含むならば、前記変調及びコーディングスキームは、多元低密度パリティ検査符号若しくはポーラ符号である、請求項２から請求項８のいずれか一項に記載の方法。
【請求項１０】
前記Ｎ個の伝送ステータスが大スループット伝送状態を含むとき、前記大スループット伝送状態に対応する伝送パラメータセットでは、
前記伝送パラメータセットがフレーム構造を含むならば、前記フレーム構造は１ｍｓより長いフレーム長を伴うフレーム構造であるか、
前記伝送パラメータセットが再伝送ポリシーを含むならば、前記再伝送ポリシーはレートレス伝送であるか、又は、
前記伝送パラメータセットが変調及びコーディングスキームを含むならば、前記変調及びコーディングスキームは低密度パリティ検査符号である、請求項２から請求項９のいずれか一項に記載の方法。
【請求項１１】
前記Ｎ個の伝送ステータスが普通伝送状態を含むとき、前記普通伝送状態に対応する伝送パラメータセットでは、
前記伝送パラメータセットがフレーム構造を含むならば、前記フレーム構造は１ｍｓに等しいフレーム長を伴うフレーム構造であるか、
前記伝送パラメータセットが再伝送ポリシーを含むならば、前記再伝送ポリシーは標準再伝送であるか、又は、
前記伝送パラメータセットが変調及びコーディングスキームを含むならば、前記変調及びコーディングスキームは、低密度パリティ検査符号若しくはＴｕｒｂｏ符号である、請求項２から請求項１０のいずれか一項に記載の方法。
【請求項１２】
前記変調パラメータセットは符号帳を含み、前記符号帳は符号語のセットであり、前記符号語は、情報ビットと変調シンボルとの間のマッピング関係を指示するために使用される、請求項１から請求項１１のいずれか一項に記載の方法。
【請求項１３】
前記符号語はスパース符号多元接続ＳＣＭＡ符号語であり、前記符号帳はＳＣＭＡ符号帳である、請求項１２に記載の方法。
【請求項１４】
伝送ステータス判定装置であって、当該装置が、
第１の時間期間に、送信端デバイスにより送出される第１のシンボルシーケンスを受信するように構成される受信ユニットと、
第１の変調パラメータセットを、前記第１のシンボルシーケンスに従って判定することであって、前記第１の変調パラメータセットは、前記送信端デバイスが変調処理を実行して前記第１のシンボルシーケンスを生成するときに使用される変調パラメータセットであり、前記変調パラメータセットは、下記のもの、すなわち、コンステレーションポイントセット又は符号帳のうちの少なくとも１つを含む、判定することと、あらかじめセットされた第１のマッピング関係情報に従って、前記第１の変調パラメータセットに対応する第１の伝送ステータスを、第２の時間期間における前記送信端デバイスの伝送ステータスとして判定することであって、前記第１のマッピング関係情報はＮ個の伝送ステータスとＮ個の変調パラメータセットとの間の１対１のマッピング関係を指示するために使用され、前記第１の変調パラメータセットは前記Ｎ個の変調パラメータセットに属し、前記第１の伝送ステータスは前記Ｎ個の伝送ステータスに属し、前記第２の時間期間は前記第１の時間期間より後であり、Ｎ≧２である、判定することとを行うように構成される判定ユニットとを備える、伝送ステータス判定装置。
【請求項１５】
前記判定ユニットは、あらかじめセットされた第２のマッピング関係情報に従って、前記第１の伝送ステータスに対応する第２の伝送パラメータセットを判定することであって、前記第２のマッピング関係情報は前記Ｎ個の伝送ステータスとＮ個の伝送パラメータセットとの間の１対１のマッピング関係を指示するために使用され、前記第２の伝送パラメータセットは前記Ｎ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することを行うようにさらに構成される、請求項１４に記載の装置。
【請求項１６】
前記受信ユニットは、前記第２の時間期間に、前記送信端デバイスにより送信される第２のシンボルシーケンスを前記第２の伝送パラメータセットに従って受信するようにさらに構成される、請求項１５に記載の装置。
【請求項１７】
前記第２のシンボルシーケンスは、第２の変調パラメータセットに基づいて変調処理が実行された後に生成されるシンボルであり、前記第２の変調パラメータセットは第２の伝送ステータスに対応し、前記第２の伝送ステータスは第３の時間期間における前記送信端デバイスの伝送ステータスであり、前記第３の時間期間は前記第２の時間期間より後である、請求項１６に記載の装置。
【請求項１８】
前記受信ユニットは、前記送信端デバイスと受信端デバイスとの間で前記第１の時間期間より前の第１のあらかじめセットされた継続期間範囲内に情報が伝送されないと判定されるとき、前記第１の時間期間に、前記送信端デバイスにより送出される前記第１のシンボルシーケンスをあらかじめセットされた第１の伝送パラメータセットに従って受信することであって、前記第１の伝送パラメータセットは、下記の伝送パラメータ、すなわち、フレーム構造、再伝送ポリシー、又は変調及びコーディングスキームのうちの少なくとも１つを含む、受信することを行うように構成される、請求項１４から請求項１７のいずれか一項に記載の装置。
【請求項１９】
前記判定ユニットは、シンボルサブシーケンスを前記第１のシンボルシーケンスから切り取ることであって、前記シンボルサブシーケンスは少なくとも２つのシンボルを含む、切り取ることと、
前記第１の変調パラメータセットを、前記シンボルサブシーケンスに従って判定することとを行うように構成される、請求項１４から請求項１８のいずれか一項に記載の装置。
【請求項２０】
前記シンボルサブシーケンスは、前記第１のシンボルシーケンス内の最初のＫ個のシンボルであり、Ｋはあらかじめセットされた値であり、Ｋ≧２であるか、又は、
前記シンボルサブシーケンスは、受信端デバイスとネットワークデバイスとの間のチャネルの品質が、あらかじめセットされた条件を満たすときに受信される、前記第１のシンボルシーケンス内のシンボルを含む、請求項１９に記載の装置。
【請求項２１】
前記Ｎ個の伝送ステータスは、下記の状態、すなわち、
小サイズパケット伝送状態、普通伝送状態、又は大スループット伝送状態のうちの少なくとも１つを含む、請求項１４から請求項２０のいずれか一項に記載の装置。
【請求項２２】
前記Ｎ個の伝送ステータスが小サイズパケット伝送状態を含むとき、前記小サイズパケット伝送状態に対応する伝送パラメータセットでは、
前記伝送パラメータセットがフレーム構造を含むならば、前記フレーム構造は１ｍｓ未満のフレーム長を伴うフレーム構造であるか、
前記伝送パラメータセットが再伝送ポリシーを含むならば、前記再伝送ポリシーは高速再伝送であるか、又は、
前記伝送パラメータセットが変調及びコーディングスキームを含むならば、前記変調及びコーディングスキームは、多元低密度パリティ検査符号若しくはポーラ符号である、請求項１５から請求項２１のいずれか一項に記載の装置。
【請求項２３】
前記Ｎ個の伝送ステータスが大スループット伝送状態を含むとき、前記大スループット伝送状態に対応する伝送パラメータセットでは、
前記伝送パラメータセットがフレーム構造を含むならば、前記フレーム構造は１ｍｓより長いフレーム長を伴うフレーム構造であるか、
前記伝送パラメータセットが再伝送ポリシーを含むならば、前記再伝送ポリシーはレートレス伝送であるか、又は、
前記伝送パラメータセットが変調及びコーディングスキームを含むならば、前記変調及びコーディングスキームは低密度パリティ検査符号である、請求項１５から請求項２２のいずれか一項に記載の装置。
【請求項２４】
前記Ｎ個の伝送ステータスが普通伝送状態を含むとき、前記普通伝送状態に対応する伝送パラメータセットでは、
前記伝送パラメータセットがフレーム構造を含むならば、前記フレーム構造は１ｍｓに等しいフレーム長を伴うフレーム構造であるか、
前記伝送パラメータセットが再伝送ポリシーを含むならば、前記再伝送ポリシーは標準再伝送であるか、又は、
前記伝送パラメータセットが変調及びコーディングスキームを含むならば、前記変調及びコーディングスキームは、低密度パリティ検査符号若しくはＴｕｒｂｏ符号である、請求項１５から請求項２３のいずれか一項に記載の装置。
【請求項２５】
前記変調パラメータセットは符号帳を含み、前記符号帳は符号語のセットであり、前記符号語は、情報ビットと変調シンボルとの間のマッピング関係を指示するために使用される、請求項１４から請求項２４のいずれか一項に記載の装置。
【発明の詳細な説明】
【技術分野】
【０００１】
本発明は、通信の分野に関し、より具体的には、情報伝送方法、装置、及びデバイスに関する。
【背景技術】
【０００２】
現在、既知の情報伝送技術では、送信端デバイスは、受信端デバイスに、送信端デバイスのステータス（理解及び説明を容易にするために、伝送ステータスと、下記では呼称される）を通知し得る。例えば送信端デバイスは、伝送状態又は非伝送状態にある。したがって、送信端デバイス及び受信端デバイスは、伝送ステータスに対応するエアインタフェース伝送技術、例えば、エアインタフェースの送信波形、フレーム構造、再伝送技術、又は符号変調技術を選択することができ、そのことによって、上述の様々なエアインタフェース伝送技術が柔軟に使用されることができ、通信品質が高められ、ユーザエクスペリエンスが改善される。
【０００３】
しかしながらこの技術では、通信システムは、上述の伝送ステータスを指示する情報を送信端デバイスと受信端デバイスとの間で伝送するための専用の通信リソース及びシグナリングを提供する必要があり、そのことは、送信端デバイスと受信端デバイスとの間のインタラクションが複雑になり、通信リソースオーバヘッドが増大することを引き起こす。
【発明の概要】
【０００４】
本発明の実施形態は、送信端デバイスと受信端デバイスとの間のインタラクションを単純化し得る、情報伝送方法、装置、及びデバイスを提供する。
【０００５】
第１の態様は、伝送ステータス判定方法であって、当該方法が、受信端デバイスにより、第１の時間期間に、送信端デバイスにより送出される第１のシンボルシーケンスを受信するステップと、第１の変調パラメータセットを、第１のシンボルシーケンスに従って判定するステップであって、第１の変調パラメータセットは、送信端デバイスが変調処理を実行して第１のシンボルシーケンスを生成するときに使用される変調パラメータセットであり、変調パラメータセットは、下記のもの、すなわち、コンステレーションポイントセット又は符号帳のうちの少なくとも１つを含む、判定するステップと、あらかじめセットされた第１のマッピング関係情報に従って、第１の変調パラメータセットに対応する第１の伝送ステータスを、第２の時間期間における送信端デバイスの伝送ステータスとして判定するステップであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、第２の時間期間は第１の時間期間より後であり、Ｎ≧２である、判定するステップとを含む、伝送ステータス判定方法を提供する。
【０００６】
第１の態様との関連で、第１の態様の第１の実現方式では、方法は、あらかじめセットされた第２のマッピング関係情報に従って、第１の伝送ステータスに対応する第２の伝送パラメータセットを判定するステップであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定するステップをさらに含む。
【０００７】
第１の態様、及び、上述の実現方式との関連で、第１の態様の第２の実現方式では、方法は、第２の時間期間に、送信端デバイスにより送信される第２のシンボルシーケンスを第２の伝送パラメータセットに従って受信するステップをさらに含む。
【０００８】
第１の態様、及び、上述の実現方式との関連で、第１の態様の第３の実現方式では、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【０００９】
第１の態様、及び、上述の実現方式との関連で、第１の態様の第４の実現方式では、受信端デバイスにより、第１の時間期間に、送信端デバイスにより送出される第１のシンボルシーケンスを受信するステップは、送信端デバイスと受信端デバイスとの間で第１の時間期間より前の第１のあらかじめセットされた継続期間範囲内に情報が伝送されないと判定されるとき、受信端デバイスにより、第１の時間期間に、送信端デバイスにより送出される第１のシンボルシーケンスをあらかじめセットされた第１の伝送パラメータセットに従って受信するステップであって、第１の伝送パラメータセットは、下記の伝送パラメータ、すなわち、フレーム構造、再伝送ポリシー、又は変調及びコーディングスキームのうちの少なくとも１つを含む、受信するステップを含む。
【００１０】
第１の態様、及び、上述の実現方式との関連で、第１の態様の第５の実現方式では、第１の変調パラメータセットを、第１のシンボルシーケンスに従って判定するステップは、シンボルサブシーケンスを第１のシンボルシーケンスから切り取るステップであって、シンボルサブシーケンスは少なくとも２つのシンボルを含む、切り取るステップと、第１の変調パラメータセットを、シンボルサブシーケンスに従って判定するステップとを含む。
【００１１】
第１の態様、及び、上述の実現方式との関連で、第１の態様の第６の実現方式では、シンボルサブシーケンスは、第１のシンボルシーケンス内の最初のＫ個のシンボルであり、Ｋはあらかじめセットされた値であり、Ｋ≧２であるか、又は、シンボルサブシーケンスは、受信端デバイスとネットワークデバイスとの間のチャネルの品質が、あらかじめセットされた条件を満たすときに受信される、第１のシンボルシーケンス内のシンボルを含む。
【００１２】
第１の態様、及び、上述の実現方式との関連で、第１の態様の第７の実現方式では、Ｎ個の伝送ステータスは、下記の状態、すなわち、小サイズパケット伝送状態、普通伝送状態、又は大スループット伝送状態のうちの少なくとも１つを含む。
【００１３】
第１の態様、及び、上述の実現方式との関連で、第１の態様の第８の実現方式では、Ｎ個の伝送ステータスが小サイズパケット伝送状態を含むとき、小サイズパケット伝送状態に対応する伝送パラメータセットでは、伝送パラメータがフレーム構造を含むならば、フレーム構造は１ｍｓ未満のフレーム長を伴うフレーム構造であるか、伝送パラメータが再伝送ポリシーを含むならば、再伝送ポリシーは高速再伝送であるか、又は、伝送パラメータが変調及びコーディングスキームを含むならば、変調及びコーディングスキームは、多元低密度パリティ検査符号若しくはポーラ符号である。
【００１４】
第１の態様、及び、上述の実現方式との関連で、第１の態様の第９の実現方式では、Ｎ個の伝送ステータスが大スループット伝送状態を含むとき、大スループット伝送状態に対応する伝送パラメータセットでは、伝送パラメータがフレーム構造を含むならば、フレーム構造は１ｍｓより長いフレーム長を伴うフレーム構造であるか、伝送パラメータが再伝送ポリシーを含むならば、再伝送ポリシーはレートレス伝送であるか、又は、伝送パラメータが変調及びコーディングスキームを含むならば、変調及びコーディングスキームは低密度パリティ検査符号である。
【００１５】
第１の態様、及び、上述の実現方式との関連で、第１の態様の第１０の実現方式では、Ｎ個の伝送ステータスが普通伝送状態を含むとき、普通伝送状態に対応する伝送パラメータセットでは、伝送パラメータがフレーム構造を含むならば、フレーム構造は１ｍｓに等しいフレーム長を伴うフレーム構造であるか、伝送パラメータが再伝送ポリシーを含むならば、再伝送ポリシーは標準再伝送であるか、又は、伝送パラメータが変調及びコーディングスキームを含むならば、変調及びコーディングスキームは、低密度パリティ検査符号若しくはＴｕｒｂｏ符号である。
【００１６】
第２の態様は、情報伝送方法であって、当該方法が、第１の伝送ステータスを判定するステップであって、第１の伝送ステータスは第２の時間期間における送信端デバイスの伝送ステータスである、判定するステップと、あらかじめセットされた第１のマッピング関係情報に従って、第１の伝送ステータスに対応する第１の変調パラメータセットを判定するステップであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、Ｎ≧２であり、変調パラメータセットは、下記のもの、すなわち、コンステレーションポイントセット又は符号帳のうちの少なくとも１つを含む、判定するステップと、第１の変調パラメータセットに従って変調処理を実行して、第１のシンボルシーケンスを生成し、第１のシンボルシーケンスを、第１の時間期間に、受信端デバイスに送信するステップであって、第２の時間期間は第１の時間期間より後である、送信するステップとを含む、情報伝送方法を提供する。
【００１７】
第２の態様との関連で、第２の態様の第１の実現方式では、方法は、あらかじめセットされた第２のマッピング関係情報に従って、第１の伝送ステータスに対応する第２の伝送パラメータセットを判定するステップであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定するステップをさらに含む。
【００１８】
第２の態様、及び、上述の実現方式との関連で、第２の態様の第２の実現方式では、方法は、第２のシンボルシーケンスを、第２の時間期間に、第２の伝送パラメータセットに従って受信端デバイスに送信するステップをさらに含む。
【００１９】
第２の態様、及び、上述の実現方式との関連で、第２の態様の第３の実現方式では、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【００２０】
第２の態様、及び、上述の実現方式との関連で、第２の態様の第４の実現方式では、第１のシンボルシーケンスを、第１の時間期間に、受信端デバイスに送信するステップは、送信端デバイスと受信端デバイスとの間で第１の時間期間より前の第１のあらかじめセットされた継続期間範囲内に情報が伝送されないと判定されるとき、第１のシンボルシーケンスを、あらかじめセットされた第１の伝送パラメータセットに従って受信端デバイスに送信するステップであって、第１の伝送パラメータセットは、下記の伝送パラメータ、すなわち、フレーム構造、再伝送ポリシー、又は変調及びコーディングスキームのうちの少なくとも１つを含む、送信するステップを含む。
【００２１】
第２の態様、及び、上述の実現方式との関連で、第２の態様の第５の実現方式では、Ｎ個の伝送ステータスは、下記の状態、すなわち、小サイズパケット伝送状態、普通伝送状態、又は大スループット伝送状態のうちの少なくとも１つを含む。
【００２２】
第２の態様、及び、上述の実現方式との関連で、第２の態様の第６の実現方式では、Ｎ個の伝送ステータスが小サイズパケット伝送状態を含むとき、小サイズパケット伝送状態に対応する伝送パラメータセットでは、伝送パラメータがフレーム構造を含むならば、フレーム構造は１ｍｓ未満のフレーム長を伴うフレーム構造であるか、伝送パラメータが再伝送ポリシーを含むならば、再伝送ポリシーは高速再伝送であるか、又は、伝送パラメータが変調及びコーディングスキームを含むならば、変調及びコーディングスキームは、多元低密度パリティ検査符号若しくはポーラ符号である。
【００２３】
第２の態様、及び、上述の実現方式との関連で、第２の態様の第７の実現方式では、Ｎ個の伝送ステータスが大スループット伝送状態を含むとき、大スループット伝送状態に対応する伝送パラメータセットでは、伝送パラメータがフレーム構造を含むならば、フレーム構造は１ｍｓより長いフレーム長を伴うフレーム構造であるか、伝送パラメータが再伝送ポリシーを含むならば、再伝送ポリシーはレートレス伝送であるか、又は、伝送パラメータが変調及びコーディングスキームを含むならば、変調及びコーディングスキームは低密度パリティ検査符号である。
【００２４】
第２の態様、及び、上述の実現方式との関連で、第２の態様の第８の実現方式では、Ｎ個の伝送ステータスが普通伝送状態を含むとき、普通伝送状態に対応する伝送パラメータセットでは、伝送パラメータがフレーム構造を含むならば、フレーム構造は１ｍｓに等しいフレーム長を伴うフレーム構造であるか、伝送パラメータが再伝送ポリシーを含むならば、再伝送ポリシーは標準再伝送であるか、又は、伝送パラメータが変調及びコーディングスキームを含むならば、変調及びコーディングスキームは、低密度パリティ検査符号若しくはＴｕｒｂｏ符号である。
【００２５】
第３の態様は、伝送ステータス判定装置であって、当該装置が、第１の時間期間に、送信端デバイスにより送出される第１のシンボルシーケンスを受信するように構成される受信ユニットと、第１の変調パラメータセットを、第１のシンボルシーケンスに従って判定することであって、第１の変調パラメータセットは、送信端デバイスが変調処理を実行して第１のシンボルシーケンスを生成するときに使用される変調パラメータセットであり、変調パラメータセットは、下記のもの、すなわち、コンステレーションポイントセット又は符号帳のうちの少なくとも１つを含む、判定することと、あらかじめセットされた第１のマッピング関係情報に従って、第１の変調パラメータセットに対応する第１の伝送ステータスを、第２の時間期間における送信端デバイスの伝送ステータスとして判定することであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、第２の時間期間は第１の時間期間より後であり、Ｎ≧２である、判定することとを行うように構成される判定ユニットとを含む、伝送ステータス判定装置を提供する。
【００２６】
第３の態様との関連で、第３の態様の第１の実現方式では、判定ユニットは、あらかじめセットされた第２のマッピング関係情報に従って、第１の伝送ステータスに対応する第２の伝送パラメータセットを判定することであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することを行うようにさらに構成される。
【００２７】
第３の態様、及び、上述の実現方式との関連で、第３の態様の第２の実現方式では、受信ユニットは、第２の時間期間に、送信端デバイスにより送信される第２のシンボルシーケンスを第２の伝送パラメータセットに従って受信するようにさらに構成される。
【００２８】
第３の態様、及び、上述の実現方式との関連で、第３の態様の第３の実現方式では、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【００２９】
第３の態様、及び、上述の実現方式との関連で、第３の態様の第４の実現方式では、受信ユニットは、具体的には、送信端デバイスと受信端デバイスとの間で第１の時間期間より前の第１のあらかじめセットされた継続期間範囲内に情報が伝送されないと判定されるとき、受信端デバイスにより、第１の時間期間に、送信端デバイスにより送出される第１のシンボルシーケンスをあらかじめセットされた第１の伝送パラメータセットに従って受信することであって、第１の伝送パラメータセットは、下記の伝送パラメータ、すなわち、フレーム構造、再伝送ポリシー、又は変調及びコーディングスキームのうちの少なくとも１つを含む、受信することを行うように構成される。
【００３０】
第３の態様、及び、上述の実現方式との関連で、第３の態様の第５の実現方式では、判定ユニットは、具体的には、シンボルサブシーケンスを第１のシンボルシーケンスから切り取ることであって、シンボルサブシーケンスは少なくとも２つのシンボルを含む、切り取ることと、第１の変調パラメータセットを、シンボルサブシーケンスに従って判定することとを行うように構成される。
【００３１】
第３の態様、及び、上述の実現方式との関連で、第３の態様の第６の実現方式では、シンボルサブシーケンスは、第１のシンボルシーケンス内の最初のＫ個のシンボルであり、Ｋはあらかじめセットされた値であり、Ｋ≧２であるか、又は、シンボルサブシーケンスは、受信端デバイスとネットワークデバイスとの間のチャネルの品質が、あらかじめセットされた条件を満たすときに受信される、第１のシンボルシーケンス内のシンボルを含む。
【００３２】
第３の態様、及び、上述の実現方式との関連で、第３の態様の第７の実現方式では、Ｎ個の伝送ステータスは、下記の状態、すなわち、小サイズパケット伝送状態、普通伝送状態、又は大スループット伝送状態のうちの少なくとも１つを含む。
【００３３】
第３の態様、及び、上述の実現方式との関連で、第３の態様の第８の実現方式では、Ｎ個の伝送ステータスが小サイズパケット伝送状態を含むとき、小サイズパケット伝送状態に対応する伝送パラメータセットでは、伝送パラメータがフレーム構造を含むならば、フレーム構造は１ｍｓ未満のフレーム長を伴うフレーム構造であるか、伝送パラメータが再伝送ポリシーを含むならば、再伝送ポリシーは高速再伝送であるか、又は、伝送パラメータが変調及びコーディングスキームを含むならば、変調及びコーディングスキームは、多元低密度パリティ検査符号若しくはポーラ符号である。
【００３４】
第３の態様、及び、上述の実現方式との関連で、第３の態様の第９の実現方式では、Ｎ個の伝送ステータスが大スループット伝送状態を含むとき、大スループット伝送状態に対応する伝送パラメータセットでは、伝送パラメータがフレーム構造を含むならば、フレーム構造は１ｍｓより長いフレーム長を伴うフレーム構造であるか、伝送パラメータが再伝送ポリシーを含むならば、再伝送ポリシーはレートレス伝送であるか、又は、伝送パラメータが変調及びコーディングスキームを含むならば、変調及びコーディングスキームは低密度パリティ検査符号である。
【００３５】
第３の態様、及び、上述の実現方式との関連で、第３の態様の第１０の実現方式では、Ｎ個の伝送ステータスが普通伝送状態を含むとき、普通伝送状態に対応する伝送パラメータセットでは、伝送パラメータがフレーム構造を含むならば、フレーム構造は１ｍｓに等しいフレーム長を伴うフレーム構造であるか、伝送パラメータが再伝送ポリシーを含むならば、再伝送ポリシーは標準再伝送であるか、又は、伝送パラメータが変調及びコーディングスキームを含むならば、変調及びコーディングスキームは、低密度パリティ検査符号若しくはＴｕｒｂｏ符号である。
【００３６】
第４の態様は、情報伝送装置であって、当該装置が、第１の伝送ステータスを判定することであって、第１の伝送ステータスは第２の時間期間における送信端デバイスの伝送ステータスである、判定することと、あらかじめセットされた第１のマッピング関係情報に従って、第１の伝送ステータスに対応する第１の変調パラメータセットを判定することであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、Ｎ≧２であり、変調パラメータセットは、下記のもの、すなわち、コンステレーションポイントセット又は符号帳のうちの少なくとも１つを含む、判定することとを行うように構成される判定ユニットと、第１の変調パラメータセットに従って変調処理を実行して、第１のシンボルシーケンスを生成し、第１のシンボルシーケンスを、第１の時間期間に、受信端デバイスに送信することであって、第２の時間期間は第１の時間期間より後である、送信することを行うように構成される送出ユニットとを含む、情報伝送装置を提供する。
【００３７】
第４の態様との関連で、第４の態様の第１の実現方式では、判定ユニットは、あらかじめセットされた第２のマッピング関係情報に従って、第１の伝送ステータスに対応する第２の伝送パラメータセットを判定することであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することを行うようにさらに構成される。
【００３８】
第４の態様、及び、上述の実現方式との関連で、第４の態様の第２の実現方式では、送出ユニットは、第２のシンボルシーケンスを、第２の時間期間に、第２の伝送パラメータセットに従って受信端デバイスに送信するようにさらに構成される。
【００３９】
第４の態様、及び、上述の実現方式との関連で、第４の態様の第３の実現方式では、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【００４０】
第４の態様、及び、上述の実現方式との関連で、第４の態様の第４の実現方式では、送出ユニットは、具体的には、送信端デバイスと受信端デバイスとの間で第１の時間期間より前の第１のあらかじめセットされた継続期間範囲内に情報が伝送されないと判定されるとき、第１のシンボルシーケンスを、あらかじめセットされた第１の伝送パラメータセットに従って受信端デバイスに送信することであって、第１の伝送パラメータセットは、下記の伝送パラメータ、すなわち、フレーム構造、再伝送ポリシー、又は変調及びコーディングスキームのうちの少なくとも１つを含む、送信することを行うように構成される。
【００４１】
第４の態様、及び、上述の実現方式との関連で、第４の態様の第５の実現方式では、Ｎ個の伝送ステータスは、下記の状態、すなわち、小サイズパケット伝送状態、普通伝送状態、又は大スループット伝送状態のうちの少なくとも１つを含む。
【００４２】
第４の態様、及び、上述の実現方式との関連で、第４の態様の第６の実現方式では、Ｎ個の伝送ステータスが小サイズパケット伝送状態を含むとき、小サイズパケット伝送状態に対応する伝送パラメータセットでは、伝送パラメータがフレーム構造を含むならば、フレーム構造は１ｍｓ未満のフレーム長を伴うフレーム構造であるか、伝送パラメータが再伝送ポリシーを含むならば、再伝送ポリシーは高速再伝送であるか、又は、伝送パラメータが変調及びコーディングスキームを含むならば、変調及びコーディングスキームは、多元低密度パリティ検査符号若しくはポーラ符号である。
【００４３】
第４の態様、及び、上述の実現方式との関連で、第４の態様の第７の実現方式では、Ｎ個の伝送ステータスが大スループット伝送状態を含むとき、大スループット伝送状態に対応する伝送パラメータセットでは、伝送パラメータがフレーム構造を含むならば、フレーム構造は１ｍｓより長いフレーム長を伴うフレーム構造であるか、伝送パラメータが再伝送ポリシーを含むならば、再伝送ポリシーはレートレス伝送であるか、又は、伝送パラメータが変調及びコーディングスキームを含むならば、変調及びコーディングスキームは低密度パリティ検査符号である。
【００４４】
第４の態様、及び、上述の実現方式との関連で、第４の態様の第８の実現方式では、Ｎ個の伝送ステータスが普通伝送状態を含むとき、普通伝送状態に対応する伝送パラメータセットでは、伝送パラメータがフレーム構造を含むならば、フレーム構造は１ｍｓに等しいフレーム長を伴うフレーム構造であるか、伝送パラメータが再伝送ポリシーを含むならば、再伝送ポリシーは標準再伝送であるか、又は、伝送パラメータが変調及びコーディングスキームを含むならば、変調及びコーディングスキームは、低密度パリティ検査符号若しくはＴｕｒｂｏ符号である。
【００４５】
第５の態様は、伝送ステータス判定デバイスであって、当該デバイスが、バスと、バスに接続されるプロセッサと、バスに接続されるメモリと、バスに接続される受信機とを含み、プロセッサは、バスを使用することにより、メモリ内に記憶されるプログラムを呼び出し、受信機を制御して、第１の時間期間に、送信端デバイスにより送出される第１のシンボルシーケンスを受信するように構成され、第１の変調パラメータセットを、第１のシンボルシーケンスに従って判定することであって、第１の変調パラメータセットは、送信端デバイスが変調処理を実行して第１のシンボルシーケンスを生成するときに使用される変調パラメータセットであり、変調パラメータセットは、下記のもの、すなわち、コンステレーションポイントセット又は符号帳のうちの少なくとも１つを含む、判定することを行うように構成され、そして、あらかじめセットされた第１のマッピング関係情報に従って、第１の変調パラメータセットに対応する第１の伝送ステータスを、第２の時間期間における送信端デバイスの伝送ステータスとして判定することであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、第２の時間期間は第１の時間期間より後であり、Ｎ≧２である、判定することを行うように構成される、伝送ステータス判定デバイスを提供する。
【００４６】
第５の態様との関連で、第５の態様の第１の実現方式では、プロセッサは、あらかじめセットされた第２のマッピング関係情報に従って、第１の伝送ステータスに対応する第２の伝送パラメータセットを判定することであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することを行うようにさらに構成される。
【００４７】
第５の態様、及び、上述の実現方式との関連で、第５の態様の第２の実現方式では、プロセッサは、受信機を制御して、第２の時間期間に、送信端デバイスにより送信される第２のシンボルシーケンスを第２の伝送パラメータセットに従って受信するようにさらに構成される。
【００４８】
第５の態様、及び、上述の実現方式との関連で、第５の態様の第３の実現方式では、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【００４９】
第５の態様、及び、上述の実現方式との関連で、第５の態様の第４の実現方式では、プロセッサは、具体的には、送信端デバイスと受信端デバイスとの間で第１の時間期間より前の第１のあらかじめセットされた継続期間範囲内に情報が伝送されないと判定されるとき、受信機を制御して、第１の時間期間に、送信端デバイスにより送出される第１のシンボルシーケンスをあらかじめセットされた第１の伝送パラメータセットに従って受信することであって、第１の伝送パラメータセットは、下記の伝送パラメータ、すなわち、フレーム構造、再伝送ポリシー、又は変調及びコーディングスキームのうちの少なくとも１つを含む、受信することを行うように構成される。
【００５０】
第５の態様、及び、上述の実現方式との関連で、第５の態様の第５の実現方式では、プロセッサは、具体的には、シンボルサブシーケンスを第１のシンボルシーケンスから切り取ることであって、シンボルサブシーケンスは少なくとも２つのシンボルを含む、切り取ることと、第１の変調パラメータセットを、シンボルサブシーケンスに従って判定することとを行うように構成される。
【００５１】
第５の態様、及び、上述の実現方式との関連で、第５の態様の第６の実現方式では、シンボルサブシーケンスは、第１のシンボルシーケンス内の最初のＫ個のシンボルであり、Ｋはあらかじめセットされた値であり、Ｋ≧２であるか、又は、シンボルサブシーケンスは、受信端デバイスとネットワークデバイスとの間のチャネルの品質が、あらかじめセットされた条件を満たすときに受信される、第１のシンボルシーケンス内のシンボルを含む。
【００５２】
第５の態様、及び、上述の実現方式との関連で、第５の態様の第７の実現方式では、Ｎ個の伝送ステータスは、下記の状態、すなわち、小サイズパケット伝送状態、普通伝送状態、又は大スループット伝送状態のうちの少なくとも１つを含む。
【００５３】
第５の態様、及び、上述の実現方式との関連で、第５の態様の第８の実現方式では、Ｎ個の伝送ステータスが小サイズパケット伝送状態を含むとき、小サイズパケット伝送状態に対応する伝送パラメータセットでは、伝送パラメータがフレーム構造を含むならば、フレーム構造は１ｍｓ未満のフレーム長を伴うフレーム構造であるか、伝送パラメータが再伝送ポリシーを含むならば、再伝送ポリシーは高速再伝送であるか、又は、伝送パラメータが変調及びコーディングスキームを含むならば、変調及びコーディングスキームは、多元低密度パリティ検査符号若しくはポーラ符号である。
【００５４】
第５の態様、及び、上述の実現方式との関連で、第５の態様の第９の実現方式では、Ｎ個の伝送ステータスが大スループット伝送状態を含むとき、大スループット伝送状態に対応する伝送パラメータセットでは、伝送パラメータがフレーム構造を含むならば、フレーム構造は１ｍｓより長いフレーム長を伴うフレーム構造であるか、伝送パラメータが再伝送ポリシーを含むならば、再伝送ポリシーはレートレス伝送であるか、又は、伝送パラメータが変調及びコーディングスキームを含むならば、変調及びコーディングスキームは低密度パリティ検査符号である。
【００５５】
第５の態様、及び、上述の実現方式との関連で、第５の態様の第１０の実現方式では、Ｎ個の伝送ステータスが普通伝送状態を含むとき、普通伝送状態に対応する伝送パラメータセットでは、伝送パラメータがフレーム構造を含むならば、フレーム構造は１ｍｓに等しいフレーム長を伴うフレーム構造であるか、伝送パラメータが再伝送ポリシーを含むならば、再伝送ポリシーは標準再伝送であるか、又は、伝送パラメータが変調及びコーディングスキームを含むならば、変調及びコーディングスキームは、低密度パリティ検査符号若しくはＴｕｒｂｏ符号である。
【００５６】
第６の態様は、情報伝送デバイスであって、当該デバイスが、バスと、バスに接続されるプロセッサと、バスに接続されるメモリと、バスに接続される送信機とを含み、プロセッサは、バスを使用することにより、メモリ内に記憶されるプログラムを呼び出し、第１の伝送ステータスを判定することであって、第１の伝送ステータスは第２の時間期間における送信端デバイスの伝送ステータスである、判定することを行うように構成され、あらかじめセットされた第１のマッピング関係情報に従って、第１の伝送ステータスに対応する第１の変調パラメータセットを判定することであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、Ｎ≧２であり、変調パラメータセットは、下記のもの、すなわち、コンステレーションポイントセット又は符号帳のうちの少なくとも１つを含む、判定することを行うように構成され、そして、第１の変調パラメータセットに従って変調処理を実行して、第１のシンボルシーケンスを生成し、送信機を制御して、第１のシンボルシーケンスを、第１の時間期間に、受信端デバイスに送信することであって、第２の時間期間は第１の時間期間より後である、送信することを行うように構成される、情報伝送デバイスを提供する。
【００５７】
第６の態様との関連で、第６の態様の第１の実現方式では、プロセッサは、あらかじめセットされた第２のマッピング関係情報に従って、第１の伝送ステータスに対応する第２の伝送パラメータセットを判定することであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することを行うようにさらに構成される。
【００５８】
第６の態様、及び、上述の実現方式との関連で、第６の態様の第２の実現方式では、プロセッサは、送信機を制御して、第２のシンボルシーケンスを、第２の時間期間に、第２の伝送パラメータセットに従って受信端デバイスに送信するようにさらに構成される。
【００５９】
第６の態様、及び、上述の実現方式との関連で、第６の態様の第３の実現方式では、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【００６０】
第６の態様、及び、上述の実現方式との関連で、第６の態様の第４の実現方式では、プロセッサは、具体的には、送信端デバイスと受信端デバイスとの間で第１の時間期間より前の第１のあらかじめセットされた継続期間範囲内に情報が伝送されないと判定されるとき、送信機を制御して、第１のシンボルシーケンスを、あらかじめセットされた第１の伝送パラメータセットに従って受信端デバイスに送信することであって、第１の伝送パラメータセットは、下記の伝送パラメータ、すなわち、フレーム構造、再伝送ポリシー、又は変調及びコーディングスキームのうちの少なくとも１つを含む、送信することを行うように構成される。
【００６１】
第６の態様、及び、上述の実現方式との関連で、第６の態様の第５の実現方式では、Ｎ個の伝送ステータスは、下記の状態、すなわち、小サイズパケット伝送状態、普通伝送状態、又は大スループット伝送状態のうちの少なくとも１つを含む。
【００６２】
第６の態様、及び、上述の実現方式との関連で、第６の態様の第６の実現方式では、Ｎ個の伝送ステータスが小サイズパケット伝送状態を含むとき、小サイズパケット伝送状態に対応する伝送パラメータセットでは、伝送パラメータがフレーム構造を含むならば、フレーム構造は１ｍｓ未満のフレーム長を伴うフレーム構造であるか、伝送パラメータが再伝送ポリシーを含むならば、再伝送ポリシーは高速再伝送であるか、又は、伝送パラメータが変調及びコーディングスキームを含むならば、変調及びコーディングスキームは、多元低密度パリティ検査符号若しくはポーラ符号である。
【００６３】
第６の態様、及び、上述の実現方式との関連で、第６の態様の第７の実現方式では、Ｎ個の伝送ステータスが大スループット伝送状態を含むとき、大スループット伝送状態に対応する伝送パラメータセットでは、伝送パラメータがフレーム構造を含むならば、フレーム構造は１ｍｓより長いフレーム長を伴うフレーム構造であるか、伝送パラメータが再伝送ポリシーを含むならば、再伝送ポリシーはレートレス伝送であるか、又は、伝送パラメータが変調及びコーディングスキームを含むならば、変調及びコーディングスキームは低密度パリティ検査符号である。
【００６４】
第６の態様、及び、上述の実現方式との関連で、第６の態様の第８の実現方式では、Ｎ個の伝送ステータスが普通伝送状態を含むとき、普通伝送状態に対応する伝送パラメータセットでは、伝送パラメータがフレーム構造を含むならば、フレーム構造は１ｍｓに等しいフレーム長を伴うフレーム構造であるか、伝送パラメータが再伝送ポリシーを含むならば、再伝送ポリシーは標準再伝送であるか、又は、伝送パラメータが変調及びコーディングスキームを含むならば、変調及びコーディングスキームは、低密度パリティ検査符号若しくはＴｕｒｂｏ符号である。
【００６５】
本発明の実施形態での情報伝送方法、装置、及びデバイスによれば、送信端デバイスは、第２の時間期間における送信端デバイスの伝送ステータスに対応する変調パラメータセットを判定し、第２の時間期間より前の第１の時間期間に、変調パラメータセットに基づいて、受信端デバイスに対して送出される必要があるデータに対して変調処理を実行し、生成されたシンボルを受信端デバイスに送出することができ、そのことによって、受信端デバイスは、受信されるシンボルに従って、送信端デバイスにより使用される変調パラメータセットを判定することができ、さらに、第２の時間期間における送信端デバイスのものであり、且つ変調パラメータセットに対応する、伝送ステータスを判定することができる。したがって、送信端デバイス及び受信端デバイスは、第２の時間期間に、伝送ステータスに対応するエアインタフェース伝送技術を選択して、インタラクションプロセス及びシステムリソースオーバヘッドが低減されるときの伝送ステータスの通知を実施することができ、そのことは、送信端デバイスと受信端デバイスとの間のインタラクションを単純化し、通信リソースオーバヘッドを低減し得る。
【００６６】
本発明の実施形態での技術的解決策をより明確に説明するために、下記では、実施形態又は従来技術を説明するために必要な添付図面を簡潔に説明する。明らかに、下記の説明での添付図面は、本発明のいくつかの実施形態を示すに過ぎず、当業者は、創造的な努力なしに、これらの添付図面とは別の図面をさらに導出し得る。
【図面の簡単な説明】
【００６７】
【図１】本発明での情報伝送方法が適用可能である、通信システムの概略図である。
【図２】本発明の実施形態による、情報伝送方法の概略フローチャートである。
【図３】本発明の実施形態による、変調パラメータセットの概略図である。
【図４】本発明の別の実施形態による、情報伝送方法の概略フローチャートである。
【図５】本発明の実施形態による、情報伝送装置の概略構造図である。
【図６】本発明の別の実施形態による、情報伝送装置の概略構造図である。
【図７】本発明の実施形態による、情報伝送デバイスの概略構造図である。
【図８】本発明の別の実施形態による、情報伝送デバイスの概略構造図である。
【発明を実施するための形態】
【００６８】
下記では、本発明の実施形態での添付図面を参照しながら、本発明の実施形態での技術的解決策を明確且つ完全に説明する。明らかに、記載の実施形態は、本発明の実施形態のすべてではなく、一部である。創造的な努力なしに本発明の実施形態に基づいて当業者によって得られるすべての他の実施形態は、本発明の保護範囲内に包含されるものとする。
【００６９】
本明細書で使用される、専門用語、例えるなら「構成要素」、「モジュール」、及び「システム」は、コンピュータに関係付けられるエンティティ、ハードウェア、ファームウェア、ハードウェア及びソフトウェアの組み合わせ、ソフトウェア、又は、実行されているソフトウェアを指示するために使用される。例えば構成要素は、プロセッサ上で走るプロセス、プロセッサ、オブジェクト、実行可能ファイル、実行のスレッド、プログラム、及び／又はコンピュータであり得るが、それらに限定されない。図で示されるように、コンピューティングデバイス、及び、コンピューティングデバイス上で走るアプリケーションの両方は、構成要素であり得る。１つ又は複数の構成要素が、プロセス、及び／又は、実行のスレッド内に存在することができ、構成要素は、１つのコンピュータ上に配置されるか、及び／又は、２つ以上のコンピュータの間で分散される場合がある。加えて、これらの構成要素は、様々なコンピュータ読み取り可能な媒体から実行されることができ、それらの媒体は、様々なデータ構造を記憶する。例えば構成要素は、ローカル及び／又はリモートプロセスを使用することにより、並びに、例えば１つ又は複数のデータパケット（例えば、ローカルシステム、分散システム内の別の構成要素と対話するか、及び／又は信号を使用することによって他のシステムと対話するインターネットなどのネットワークを介して対話する、１つの構成要素からのデータ）を有する信号に従って通信し得る。
【００７０】
本発明では、端末デバイスとの関連で実施形態が説明される。端末デバイスはさらには、ユーザ機器（ＵＥ，Ｕｓｅｒ  Ｅｑｕｉｐｍｅｎｔ）、アクセス端末、加入者ユニット、加入者局、移動局、リモート局、リモート端末、移動デバイス、ユーザ端末、端末、ワイヤレス通信デバイス、ユーザエージェント、ユーザ装置、又は類するものと呼称され得る。アクセス端末は、セルラー電話、コードレス電話、ＳＩＰ（Ｓｅｓｓｉｏｎ  Ｉｎｉｔｉａｔｉｏｎ  Ｐｒｏｔｏｃｏｌ，セッション開始プロトコル）電話、ＷＬＬ（Ｗｉｒｅｌｅｓｓ  Ｌｏｃａｌ  Ｌｏｏｐ，ワイヤレスローカルループ）局、ＰＤＡ（Ｐｅｒｓｏｎａｌ  Ｄｉｇｉｔａｌ  Ａｓｓｉｓｔａｎｔ，携帯情報端末）、ワイヤレス通信機能を有するハンドヘルドデバイス、コンピューティングデバイス、ワイヤレスモデムに接続される別の処理デバイス、車載デバイス、ウェアラブルデバイス、又は、将来の５Ｇネットワークでの端末デバイスであり得る。
【００７１】
加えて、本発明では、ネットワークデバイスとの関連で実施形態が説明される。ネットワークデバイスは、基地局などのデバイスであり得るとともに、基地局は、移動デバイスと通信するために使用され得る。基地局は、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ，移動通信用グローバルシステム）又はＣＤＭＡ（Ｃｏｄｅ  Ｄｉｖｉｓｉｏｎ  Ｍｕｌｔｉｐｌｅ  Ａｃｃｅｓｓ，符号分割多元接続）でのＢＴＳ（Ｂａｓｅ  Ｔｒａｎｓｃｅｉｖｅｒ  Ｓｔａｔｉｏｎ，基地トランシーバ局）であり得るか、或いは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ，広帯域符号分割多元接続）でのＮＢ（ＮｏｄｅＢ，ノードＢ）であり得るか、或いは、さらに、ＬＴＥ（Ｌｏｎｇ  Ｔｅｒｍ  Ｅｖｏｌｕｔｉｏｎ，ロングタームエボリューション）でのｅＮＢ若しくはｅＮｏｄｅＢ（Ｅ−ＵＴＲＡＮ  Ｎｏｄｅ  Ｂ，Ｅ−ＵＴＲＡＮノードＢ）、中継局若しくはアクセスポイント、車載デバイス、ウェアラブルデバイス、又は、将来の５Ｇネットワークでの基地局デバイス、又は類するものであり得る。
【００７２】
加えて、本発明の態様又は特徴は、標準のプログラミング及び／若しくはエンジニアリング技術を使用する、方法、装置、又は製品として実現され得る。本出願で使用される用語「製品」は、コンピュータプログラムを包含し、そのコンピュータプログラムは、任意のコンピュータ読み取り可能な構成要素、キャリア、又は媒体からアクセスされ得る。例えばコンピュータ読み取り可能な媒体は、磁気記憶構成要素（例えば、ハードディスク、フロッピーディスク、又は磁気テープ）、光ディスク（例えば、ＣＤ（Ｃｏｍｐａｃｔ  Ｄｉｓｋ，コンパクトディスク）、ＤＶＤ（Ｄｉｇｉｔａｌ  Ｖｅｒｓａｔｉｌｅ  Ｄｉｓｋ，デジタルバーサタイルディスク））、スマートカード、及びフラッシュメモリ構成要素（例えば、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ，消去可能プログラマブル読み出し専用メモリ）、カード、スティック、又はキードライブ）を含み得るが、それらに限定されない。加えて、本明細書で説明される様々な記憶媒体は、情報を記憶するために使用される１つ若しくは複数のデバイス及び／又は他の機械読み取り可能な媒体を指示し得る。用語「機械読み取り可能な媒体」は、無線チャネル、並びに命令及び／又はデータを記憶、収容、及び／又は搬送し得る様々な他の媒体を含み得るが、それらに限定されない。
【００７３】
図１は、本発明での情報伝送方法が使用される、通信システムの概略図である。図１で示されるように、通信システム１００は基地局１０２を含み、基地局１０２は、複数のアンテナグループを含み得る。各々のアンテナグループは、１つ又は複数のアンテナを含み得る。例えば１つのアンテナグループは、アンテナ１０４及び１０６を含むことができ、別のアンテナグループは、アンテナ１０８及び１１０を含むことができ、追加的なグループは、アンテナ１１２及び１１４を含むことができる。図１では、２つのアンテナが、各々のアンテナグループに対して示される。しかしながら、より多い、又は、より少ないアンテナが、各々のグループに対して使用され得る。基地局１０２は加えて、送信機チェーン及び受信機チェーンを含み得る。当業者は、送信機チェーン及び受信機チェーンの両方が、信号送出及び受信に関係付けられる複数の構成要素（例えば、プロセッサ、変調器、マルチプレクサ、復調器、デマルチプレクサ、又はアンテナ）を含み得るということを理解し得る。
【００７４】
基地局１０２は、複数のユーザ機器（例えば、ユーザ機器１１６及びユーザ機器１２２）と通信し得る。しかしながら、基地局１０２は、任意の数量のユーザ機器と通信することができ、それらのユーザ機器は、ユーザ機器１１６又は１２２と同様である、ということが理解され得る。ユーザ機器１１６及び１２２は例えば、セルラー電話、スマートフォン、ポータブルコンピュータ、ハンドヘルド通信デバイス、ハンドヘルドコンピューティングデバイス、衛星無線装置、全地球測位システム、ＰＤＡ、及び／又は、ワイヤレス通信システム１００での通信に対して使用される任意の他の適用可能なデバイスであり得る。
【００７５】
図１で示されるように、ユーザ機器１１６は、アンテナ１１２及び１１４と通信する。アンテナ１１２及び１１４は、順方向リンク１１８を使用することによりユーザ機器１１６に情報を送出し、逆方向リンク１２０を使用することによりユーザ機器１１６から情報を受信する。加えて、ユーザ機器１２２は、アンテナ１０４及び１０６と通信する。アンテナ１０４及び１０６は、順方向リンク１２４を使用することによりユーザ機器１２２に情報を送出し、逆方向リンク１２６を使用することによりユーザ機器１２２から情報を受信する。
【００７６】
例えば周波数分割複信（ＦＤＤ，Ｆｒｅｑｕｅｎｃｙ  Ｄｉｖｉｓｉｏｎ  Ｄｕｐｌｅｘ）システムでは、例えば順方向リンク１１８は、逆方向リンク１２０により使用される周波数帯域とは異なる周波数帯域を使用することができ、順方向リンク１２４は、逆方向リンク１２６により使用される周波数帯域とは異なる周波数帯域を使用し得る。
【００７７】
別の例として、時分割複信（ＴＤＤ，Ｔｉｍｅ  Ｄｉｖｉｓｉｏｎ  Ｄｕｐｌｅｘ）システム及び全二重（Ｆｕｌｌ  Ｄｕｐｌｅｘ）システムでは、順方向リンク１１８及び逆方向リンク１２０は、共通の周波数帯域を使用することができ、順方向リンク１２４及び逆方向リンク１２６は、共通の周波数帯域を使用することができる。
【００７８】
通信のために設計される、アンテナの各々のグループ若しくはエリア、又は両方は、基地局１０２のセクタと呼称される。例えばアンテナグループは、基地局１０２によりカバーされるエリアのセクタ内のユーザ機器と通信するように設計され得る。基地局１０２が、ユーザ機器１１６及び１２２と、順方向リンク１１８及び１２４をそれぞれ使用することにより通信するプロセスでは、基地局１０２の送信アンテナは、順方向リンク１１８及び１２４の信号雑音比を、ビームフォーミングによって改善し得る。加えて、基地局により、基地局のすべてのユーザ機器に対して単一のアンテナを使用することにより信号を送出する方式と比較すると、基地局１０２が、ビームフォーミングによって、関係付けられるカバレッジエリア内にランダムに分散するユーザ機器１１６及び１２２に信号を送出するとき、近隣のセル内の移動デバイスは、相対的に弱い干渉を被る。
【００７９】
所与の時間では、基地局１０２、ユーザ機器１１６、又はユーザ機器１２２は、ワイヤレス通信送出装置及び／又はワイヤレス通信受信装置であり得る。データを送出するとき、ワイヤレス通信送出装置は、データを伝送のために符号化し得る。具体的には、ワイヤレス通信送出装置は、（例えば、生成によって、別の通信装置から受信することによるか、又はメモリ内に保存することにより、）ワイヤレス通信受信装置に対してチャネルを使用することにより送出されることになる特定の数量のデータビットを取得することができる。このタイプのデータビットは、データのトランスポートブロック（又は、複数のトランスポートブロック）に含まれることができ、トランスポートブロックは、複数の符号ブロックを生成するためにセグメント化され得る。
【００８０】
本発明の実施形態での情報伝送方法及び装置が使用される通信システム１００では、複数の端末デバイスが、同じ時間−周波数リソースを再使用して、基地局とのデータ伝送を実行し得る、ということが留意されるべきである。加えて、上述の同じ時間−周波数リソースとして、例えば、時間−周波数リソースをリソース要素（ＲＥ，Ｒｅｓｏｕｒｃｅ  Ｅｌｅｍｅｎｔ）のユニットに分割する方式では、上述の時間−周波数リソースは、複数のＲＥを含む時間−周波数リソースブロック（さらには、時間−周波数リソースグループと呼称され得る）であり得る。加えて、複数のＲＥは、同じ時間領域位置を有し（すなわち、同じシンボルに対応する）、異なる周波数領域位置を有する（すなわち、異なるサブキャリアに対応する）場合があるか、又は、異なる時間領域位置を有し（すなわち、異なるシンボルに対応する）、同じ周波数領域位置を有する（すなわち、同じサブキャリアに対応する）場合があり、そのことは、特に本発明では限定されない。
【００８１】
上述の通信システム１００の一例として、スパース符号多元接続（ＳＣＭＡ，Ｓｐａｒｓｅ  Ｃｏｄｅ  Ｍｕｌｔｉｐｌｅ  Ａｃｃｅｓｓ）システムが例示され得る。このシステムでは、複数のユーザが、同じ時間−周波数リソースブロックをデータ伝送のために再使用する。各々のリソースブロックは、いくつかのリソースＲＥを含む。ＲＥは本明細書では、ＯＦＤＭ技術でのサブキャリアシンボルユニットであり得るか、又は、別のエアインタフェース技術での、時間領域若しくは周波数領域でのリソース要素であり得る。例えば、Ｋ個のＵＥを含むＳＣＭＡシステムでは、利用可能なリソースは、いくつかの直交時間−周波数リソースブロックに分割され、各々のリソースブロックは、Ｌ個のＲＥを含む。Ｌ個のＲＥは、同じ時間領域位置を有し得る。ＵＥ＃ｋがデータを送出するとき、送出されることになるデータは、最初に、Ｓ個のビットのサイズを伴うデータブロックに分割され、各々のデータブロックは、変調シンボルの１つのグループＸ＃ｋ＝｛Ｘ＃ｋ１，Ｘ＃ｋ２，…，Ｘ＃ｋＬ｝に、符号帳（基地局によりＵＥに対して判定及び送達される）を探索することによりマッピングされ、その場合、各々の変調シンボルは、リソースブロック内の１つのＲＥに対応し、次いで信号波形が、変調シンボルに従って生成される。Ｓ個のビットのサイズを伴うデータブロックに対して、各々の符号帳は、２Ｓ個の可能なデータブロックに対応する２Ｓ個の異なる変調シンボルグループを含む。
【００８２】
加えて、ＳＣＭＡでは、各々の端末デバイスに対応する、変調シンボルのグループＸ＃ｋ＝｛Ｘ＃ｋ１，Ｘ＃ｋ２，…，Ｘ＃ｋＬ｝では、少なくとも１つのシンボルはゼロシンボルであり、少なくとも１つのシンボルは非ゼロシンボルである。すなわち、端末デバイスのデータについては、Ｌ個のＲＥにおいて、一部のＲＥ（少なくとも１つのＲＥ）のみが端末デバイスのデータを搬送する。
【００８３】
上述の例示されたＳＣＭＡシステムは、単に、本発明での情報伝送方法、装置、及びデバイスが適用可能である通信システムの一例であり、本発明はそのＳＣＭＡシステムに限定されない、ということが理解されるべきである。送信端デバイス及び受信端デバイスにより伝送ステータスに従ってデータ伝送を実行することに関係付けられる任意の通信システムは、本発明の保護範囲の中にある。
【００８４】
理解及び説明を容易にするために、下記の実施形態では、別段に指定されない限り、ＳＣＭＡシステムでの適用が、本発明の実施形態での情報伝送方法を説明するための一例として使用される。
【００８５】
加えて、複数のユーザ機器がＳＣＭＡシステム内の基地局との伝送のために同じ時間−周波数リソースを再使用するので、基地局は、複数のユーザ機器と同時にデータ伝送を事項することができる。基地局がユーザ機器とデータ伝送を実行するプロセスは同様であるので、理解及び説明を容易にするために、下記では、基地局が複数のＵＥ内のＵＥ＃１（すなわち、第１のユーザ機器の一例）とデータ伝送を実行するプロセスを一例として使用することにより説明を提供する。
【００８６】
図２は、受信端デバイスの観点から説明される、本発明の実施形態による、情報伝送方法２００の概略フローチャートを示す。図２で示されるように、方法２００は下記のステップを含む。
【００８７】
Ｓ２１０：受信端デバイスは、第１の時間期間に、送信端デバイスにより送出される第１のシンボルシーケンスを受信する。
【００８８】
Ｓ２２０：第１の変調パラメータセットを、第１のシンボルシーケンスに従って判定することであって、第１の変調パラメータセットは、送信端デバイスが変調処理を実行して第１のシンボルシーケンスを生成するときに使用される変調パラメータセットであり、第１の伝送ステータスはＮ個の伝送ステータスに属し、変調パラメータセットは、下記のもの、すなわち、コンステレーションポイントセット又は符号帳のうちの少なくとも１つを含む、判定することを行う。
【００８９】
Ｓ２３０：あらかじめセットされた第１のマッピング関係情報に従って、第１の変調パラメータセットに対応する第１の伝送ステータスを、第２の時間期間における送信端デバイスの伝送ステータスとして判定することであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第２の時間期間は第１の時間期間より後であり、Ｎ≧２である、判定することを行う。
【００９０】
本発明のこの実施形態では、方法２００は、アップリンク伝送に適用されることができ、すなわち、送信端デバイスは端末デバイスであることができ、受信端デバイスはネットワークデバイス（例えば、基地局）であることができる。代替的に方法２００は、ダウンリンク伝送に適用されることができ、すなわち、送信端デバイスは基地局であることができ、受信端デバイスはユーザ機器であることができ、そのことは、特に本発明では限定されない。理解及び説明を容易にするために、下記では、方法２００がアップリンク伝送に適用されるプロセスを一例として使用することにより、方法２００の詳細な説明を提供する。
【００９１】
具体的には、ＵＥ＃１は、基地局に対して送出される必要がある情報ビットを生成することを判定することができる。このプロセスは、従来技術でのプロセスと同様であり得る。繰り返しを避けるために、詳細な説明は、本明細書では省略される。
【００９２】
加えて、ＵＥ＃１は、あらかじめ記憶された変調パラメータセットに基づいて、上述の情報ビットに対して変調処理を実行して、変調シンボル（すなわち、第１のシンボルシーケンス）を生成し得る。本発明のこの実施形態では、ＵＥ＃１が選択するために、複数（Ｎ個）の変調パラメータセットがあらかじめ記憶され得る。
【００９３】
本発明のこの実施形態では、変調パラメータセットは、コンステレーションポイントセットであることができるか、又は、符号帳であることができ、特に本発明では限定されず、適用される通信システムで使用される伝送方式に従って選択され得る。
【００９４】
例えば、方法が単一ユーザ伝送シナリオに適用されるとき、コンステレーションポイントセットが、変調パラメータセットとして選択され得る。
【００９５】
別の例として、方法がマルチユーザ伝送シナリオに適用される（例えば、ＳＣＭＡシステムに適用される）とき、符号帳が、変調パラメータセットとして選択され得る。符号語は、情報ビットから伝送シンボルへのマッピング関係である。符号帳は、符号語のセット、すなわち、上述のマッピング関係のセットである。
【００９６】
すなわち、任意選択で、変調パラメータセットは符号帳を含み、符号帳は符号語のセットであり、符号語は、情報ビットと変調シンボルとの間のマッピング関係を指示するために使用される。
【００９７】
任意選択で、符号語はスパース符号多元接続ＳＣＭＡ符号語であり、符号帳はＳＣＭＡ符号帳である。
【００９８】
加えて、変調処理をコンステレーションポイントセット又は符号帳に基づいて実行する方法及びプロセスは、従来技術での方法及びプロセスと同じであり得る。繰り返しを避けるために、詳細な説明は、本明細書では省略される。
【００９９】
図３は、本発明の実施形態での代替的変調パラメータセットの概略図を示す。図３で示されるように、Ｎ個の変調パラメータセットは、コンステレーションポイントセットＳ１、コンステレーションポイントセットＳ２、及びコンステレーションポイントセットＳ３を含み得る。加えて、上述のコンステレーションポイントセットは、位相変化（例えば、位相回転）によって取得されることができるか、又は、振幅変化によって取得されることができるか、又は、位相変化及び振幅変化の両方によって取得されることができ、そのことは、特に本発明では限定されない。
【０１００】
加えて、本発明のこの実施形態では、Ｎ個の変調パラメータセットは、Ｎ個の伝送ステータス（又は、ユーザステータスと呼称され得る）との１対１対応関係にあり得る。
【０１０１】
任意選択で、伝送ステータスは、下記の状態、すなわち、
小サイズパケット伝送状態、普通伝送状態、又は大スループット伝送状態のうちの少なくとも１つを含む。
【０１０２】
具体的には、小サイズパケット伝送状態は、サービスの送出されるデータパケットが、相対的に小さい（例えば、１ｋｂより小さいサイズを伴う）ということ、例えば、語情報伝送サービスを意味する。
【０１０３】
普通伝送状態は、サービスの送出されるデータパケットが、通常範囲内にある（例えば、１ｋｂと１Ｍｂとの間のサイズを伴う）ということ、例えば、画像伝送又はウェブページブラウジングを意味する。
【０１０４】
大スループット伝送状態は、サービスの送出されるデータパケットが、相対的に大きい（例えば、１Ｍｂより大きいサイズを伴う）ということ、例えば、ビデオアクセスサービス又はオンラインゲームサービスを意味する。
【０１０５】
下記での表１は、上述のＮ個の変調パラメータセット（コンステレーションポイントセットが一例として使用される）とＮ個の伝送ステータスとの間の対応関係を指示する、エントリ（すなわち、第１のマッピング関係情報の一例）を示す。
【０１０６】
【表１】
0006426844.tif 000002
【０１０７】
すべての例示される伝送状態に対応する変調パラメータセットは、単に、例示的な説明のためのものであり、本発明はそれらの変調パラメータセットに限定されない、ということが理解されるべきである。判定された伝送ステータスと、判定された変調パラメータセットとの間のマッピング関係が、送信端で、及び受信端で整合している場合に、並びに、１つの変調パラメータセットが一意的に１つの伝送ステータスに対応するということを前提として、すべての伝送ステータスに対応する変調パラメータセットが、ランダムに変更され得る。
【０１０８】
加えて、上記では、３つの伝送ステータスが存する事例を例示するが、本発明はその事例に限定されない。代替的に、任意の数量の上述のステータスが含まれ得る。加えて、別のステータス、例えば非アクセス状態（又は、非伝送状態）が導入され得る。非アクセス状態は、データ又は情報が送信端上で送信される必要がないということを意味する。加えて、非アクセス状態では、送信端は、データを受信端に送出せず、したがって、コンステレーションポイントを使用することにより変調及び復調を実行することは必要とされない。したがって、非アクセス状態は、何らの変調パラメータセットにも対応しなくてよい。
【０１０９】
同様に、基地局は、さらに、同様の方法及び手順を使用することにより第１のマッピング関係情報を取得し得る。
【０１１０】
第１のマッピング関係情報が上記で取得された後で、ＵＥ＃１は、第２の時間期間におけるＵＥ＃１の伝送ステータスを判定し得る。下記では、理解及び説明を容易にするために、伝送ステータスは、伝送ステータス＃Ａとして示される。例えばＵＥ＃１は、伝送ステータス＃Ａを、第２の時間期間にアクセスされるサービスに従って判定し得る。例えば、第２の時間期間にアクセスされるサービスが、語伝送に関係付けられるサービス、例えるならウェブページブラウジング又はチャッティング（chatting）であるならば、伝送ステータス＃Ａは、小サイズパケット伝送状態であると判定され得る。第２の時間期間にアクセスされるサービスが、オンラインゲームサービス又はビデオダウンロードサービスであるならば、伝送ステータス＃Ａは、大スループット伝送状態であると判定され得る。
【０１１１】
上述の第２の時間期間は、将来の時間期間を指すものであり、すなわち、第２の時間期間の開始点から現在の時点までの継続期間は、あらかじめセットされたしきい値より長く、しきい値は、第２の時間期間の前に、受信端デバイスが第２の時間期間における送信端デバイスの伝送ステータスを知得し得るということを保証するために、１つのデータ伝送を送信端デバイスと受信端デバイスとの間で完了するために要される継続期間に従って判定される、ということが留意されるべきである。
【０１１２】
伝送ステータス＃Ａを判定した後で、ＵＥ＃１は、上述の第１のマッピング関係情報（例えば、表１）に基づいて、伝送ステータス＃Ａに対応する変調パラメータセットを判定し得る。下記では、理解及び説明を容易にするために、変調パラメータセットは、変調パラメータセット＃Ａとして示される。
【０１１３】
したがってＵＥ＃１は、変調パラメータセット＃Ａに従って、上述の情報ビットに対して変調処理を実行して、第１のシンボルシーケンスを生成し得る。加えて、上述の変調処理方法及びプロセスは、従来技術での方法及びプロセスと同様であり得る。繰り返しを避けるために、詳細な説明は、本明細書では省略される。
【０１１４】
次いでＵＥ＃１は、基地局に対して上述の第１のシンボルシーケンスを、上述の第２の時間期間より前である時間期間に送出することができる（すなわち、第１の時間期間は例えば現在の時点Ｔを含み得る）。
【０１１５】
本発明のこの実施形態では、ＵＥ＃１は、第１の時間期間に実行される伝送が連続伝送であるかどうかを判定し、判定結果に従って伝送パラメータを選択して、上述の第１のシンボルシーケンスを基地局に送出し得る。
【０１１６】
上述の判定方法として、例えば、ＵＥ＃１は、第１の時間期間の前に（指定された継続期間範囲内で）ＵＥ＃１が基地局にデータを送信するかどうかを判定し得る。ＵＥ＃１が基地局にデータを送信するならば、以前の伝送で使用された伝送パラメータが依然として使用され得る。ＵＥ＃１が基地局にデータを送信しないならば、あらかじめセットされたデフォルト伝送パラメータ（すなわち、第１の伝送パラメータセットの一例）が使用される。
【０１１７】
すなわち、任意選択で、第１のシンボルシーケンスを、第１の時間期間に、受信端デバイスに送信することは、
送信端デバイスと受信端デバイスとの間で第１の時間期間より前の第１のあらかじめセットされた継続期間範囲内に情報が伝送されないと判定されるとき、第１のシンボルシーケンスを、あらかじめセットされた第１の伝送パラメータセットに従って受信端デバイスに送信することを含む。
【０１１８】
本発明のこの実施形態での情報伝送方法によれば、第１のシンボルシーケンスが、第１の時間期間に、受信端デバイスに送信される前に、送信端デバイスと受信端デバイスとの間で第１の時間期間より前の第１のあらかじめセットされた継続期間範囲内に情報が送信されるかどうかが判定され、そのことによって、送信端デバイス及び受信端デバイスにより選択される伝送パラメータは整合することができ、伝送信頼性がさらに改善される。
【０１１９】
ＵＥ＃１が第１のシンボルシーケンスを第１の時間期間に送出した後で、対応して基地局は、第１のシンボルシーケンスを受信し得る。基地局が第１のシンボルシーケンスを受信する時点は、第２の時間期間より前である、ということが留意されるべきである。
【０１２０】
同じように基地局は、第１の時間期間に実行される伝送が連続伝送であるかどうかを判定し、判定結果に従って伝送パラメータを選択して、ＵＥ＃１により送出される上述の第１のシンボルシーケンスを受信し得る。
【０１２１】
上述の判定方法として、例えば、基地局は、第１の時間期間の前に（指定された継続期間範囲内で）基地局がＵＥ＃１にデータを送信するかどうかを判定し得る。基地局がＵＥ＃１にデータを送信するならば、以前の伝送で使用された伝送パラメータが依然として使用され得る。基地局がＵＥ＃１にデータを送信しないならば、あらかじめセットされたデフォルト伝送パラメータ（すなわち、第１の伝送パラメータセットの一例）が使用される。加えて、本発明のこの実施形態では、伝送パラメータを使用することにより変調シンボルを受信するプロセスは、従来技術でのプロセスと同様であり得る。繰り返しを避けるために、詳細な説明は省略される。
【０１２２】
上述の第１のシンボルシーケンスを受信した後で、基地局は、ＵＥ＃１が変調処理を実行して第１のシンボルシーケンスを生成するときに使用される変調パラメータセットを判定し得る。
【０１２３】
判定方法として、下記のプロセスが例示され得る。
【０１２４】
任意選択で、第１の変調パラメータセットを、第１のシンボルシーケンスに従って判定することは、
シンボルサブシーケンスを第１のシンボルシーケンスから切り取ることであって、シンボルサブシーケンスは少なくとも２つのシンボルを含む、切り取ることと、
第１の変調パラメータセットを、シンボルサブシーケンスに従って判定することとを含む。
【０１２５】
具体的には、最初に、基地局は、シンボルサブシーケンスのセグメント（少なくとも２つのシンボルを含む）を第１のシンボルシーケンスから切り取ることができる。
【０１２６】
任意選択で、シンボルサブシーケンスは、第１のシンボルシーケンス内の最初のＫ個のシンボルであり、Ｋはあらかじめセットされた値であり、Ｋ≧２であるか、又は、
シンボルサブシーケンスは、受信端デバイスとネットワークデバイスとの間のチャネルの品質が、あらかじめセットされた条件を満たすときに受信される、第１のシンボルシーケンス内のシンボルを含む。
【０１２７】
具体的には、シンボルサブシーケンスは、最初に受信される複数のシンボルであり得るか、又は、チャネル環境が相対的に良好であるときに受信される複数のシンボルであり得る。
【０１２８】
次いで基地局は、情報転送アルゴリズムを使用することにより、上述のＮ個の変調パラメータセット（例えば、上述のＳ１、Ｓ２、及びＳ３を含む）に対して別々に復号を実行し、上述のシンボルサブシーケンス内のすべてのシンボルの対数尤度比（ＬＬＲ，ｌｏｇ−Ｌｉｋｅｌｉｈｏｏｄ  Ｒａｔｅ）値を取得し得る。
【０１２９】
最後に、すべてのシンボルのものであり、且つ上述のＮ個の変調パラメータセットに基づいて取得される、ＬＬＲ値の絶対値が、最初に別々に取得されることができ、次いで、Ｎ個の変調パラメータセットに対応するＬＬＲ値の合計を取得するために合計され、対応するＬＬＲ値の最も大きな合計を伴う変調パラメータセットが、ＵＥ＃１が変調処理を実行して第１のシンボルシーケンスを生成するときに使用される変調パラメータセット、すなわち変調パラメータセット＃Ａとして判定される。
【０１３０】
受信端デバイスにより、送信端デバイスにより変調処理を実行するために使用される変調パラメータセットを判定する、上述の例示された方法及びプロセスは、単に、例示的な説明のためのものであり、本発明はそれらの方法及びプロセスに限定されない、ということが理解されるべきである。例えば、第１のシンボルシーケンスのシーケンス全体が、さらに、上述の判定プロセスを実行するために上述のシンボルサブシーケンスとして使用され得る。
【０１３１】
次いで基地局は、上述の第１のマッピング関係情報に従って、変調パラメータセット＃Ａに対応する伝送ステータス、すなわち伝送ステータス＃Ａを判定し、伝送ステータス＃Ａを、第２の時間期間におけるＵＥ＃１の伝送ステータスとして判定し得る。
【０１３２】
任意選択で、方法は、
あらかじめセットされた第２のマッピング関係情報に従って、第１の伝送ステータスに対応する第２の伝送パラメータセットを判定することであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することをさらに含む。
【０１３３】
具体的には、本発明のこの実施形態では、異なる伝送ステータスに対して、送信端デバイス及び受信端デバイスは、異なる伝送技術又は伝送パラメータセットを使用し得る。伝送パラメータセットは、下記のパラメータ、例えば、フレーム構造、再伝送ポリシー、及び変調及びコーディングスキームを含み得る。したがって、上述の様々なエアインタフェース伝送技術が柔軟に使用されることができ、通信品質が高められ、ユーザエクスペリエンスが改善される。
【０１３４】
一例として、ただし限定としてではなく、本発明のこの実施形態では、異なる伝送ステータスに対して、下記の伝送技術が使用され得る。
【０１３５】
Ａ．小サイズパケット伝送状態の場合：
伝送ステータスが小サイズパケット伝送状態を含むとき、小サイズパケット伝送状態に対応する伝送パラメータセットでは、
伝送パラメータがフレーム構造を含むならば、フレーム構造は１ｍｓ未満のフレーム長を伴うフレーム構造であるか、
伝送パラメータが再伝送ポリシーを含むならば、再伝送ポリシーは高速再伝送であるか、又は、
伝送パラメータが変調及びコーディングスキームを含むならば、変調及びコーディングスキームは多元低密度パリティ検査符号若しくはポーラ符号である。
【０１３６】
具体的には、小サイズパケット伝送状態で伝送されるデータパケットは、相対的に小さい（１ｋｂより小さい）ので、相対的に短いフレーム長を伴うフレーム構造は、伝送要件を満たすことができ、伝送率を改善し、受信端デバイス及び送信端デバイスの両方の電力消費を低減し、システムリソースオーバヘッドを低減し得る。
【０１３７】
小サイズパケット伝送状態で伝送されるデータパケットは、相対的に小さい（１ｋｂより小さい）ので、再伝送ポリシーを高速再伝送にセットすることは、伝送率を改善し、受信端デバイス及び送信端デバイスの両方の電力消費を低減し、システムリソースオーバヘッドを低減し得る。
【０１３８】
小サイズパケット伝送状態で伝送されるデータパケットは、相対的に小さい（１ｋｂより小さい）ので、多元低密度パリティ検査符号、ポーラ符号、又は類するものを使用することにより特に短い長さを伴うパケットに対して最適化が実行される変調及びコーディングスキームを使用することは、伝送率を改善し、受信端で検出されるビットエラー確率を低減し得る。
【０１３９】
小サイズパケット伝送状態に対応する上述の例示された伝送パラメータは、単に、例示的な説明のためのものであり、本発明はそれらの伝送パラメータに限定されない、ということが理解されるべきである。小サイズパケット伝送状態で効果を生じ得るすべての伝送パラメータは、本発明の保護範囲内にある。
【０１４０】
Ｂ．大スループット伝送状態の場合：
伝送ステータスが大スループット伝送状態を含むとき、大スループット伝送状態に対応する伝送パラメータセットでは、
伝送パラメータがフレーム構造を含むならば、フレーム構造は１ｍｓより長いフレーム長を伴うフレーム構造であるか、
伝送パラメータが再伝送ポリシーを含むならば、再伝送ポリシーはレートレス伝送であるか、又は、
伝送パラメータが変調及びコーディングスキームを含むならば、変調及びコーディングスキームは低密度パリティ検査符号である。
【０１４１】
具体的には、大スループット伝送状態で伝送されるデータパケットは、相対的に大きい（１Ｍｂより大きい）ので、相対的に長いフレーム長を伴うフレーム構造を使用することは、制御シグナリングにより占有されるリソースの割合を低減することができ、そのことにより、伝送率を改善し、受信端デバイス及び送信端デバイスの両方の電力消費を低減する。
【０１４２】
大スループット伝送状態で伝送されるデータパケットは、相対的に大きい（１Ｍｂより大きい）ので、再伝送ポリシーをレートレス再伝送にセットすることは、実質的に、システムフィードバックの数量を低減することができ、そのことにより、伝送率を改善し、システムリソースオーバヘッドを低減する。
【０１４３】
大スループット伝送状態で伝送されるデータパケットは、相対的に大きい（１Ｍｂより大きい）ので、長い符号ブロックの伝送に適用可能である、変調及びコーディングスキーム、例えるなら低密度パリティ検査符号を使用することは、複雑度とシステムビットエラー性能との間の良好な均衡を実現することができ、そのことにより、伝送率を改善し、受信端デバイス及び送信端デバイスの両方の電力消費を低減する。
【０１４４】
大スループット伝送状態に対応する上述の例示された伝送パラメータは、単に、例示的な説明のためのものであり、本発明はそれらの伝送パラメータに限定されない、ということが理解されるべきである。大スループット伝送状態で効果を生じ得るすべての伝送パラメータは、本発明の保護範囲内にある。
【０１４５】
Ｃ．普通伝送状態の場合：
伝送ステータスが普通伝送状態を含むとき、普通伝送状態に対応する伝送パラメータセットでは、
伝送パラメータがフレーム構造を含むならば、フレーム構造は１ｍｓに等しいフレーム長を伴うフレーム構造であるか、
伝送パラメータが再伝送ポリシーを含むならば、再伝送ポリシーは標準再伝送であるか、又は、
伝送パラメータが変調及びコーディングスキームを含むならば、変調及びコーディングスキームは低密度パリティ検査符号若しくはターボ符号Ｔｕｒｂｏ符号である。
【０１４６】
普通伝送状態に対応する上述の例示された伝送パラメータは、単に、例示的な説明のためのものであり、本発明はそれらの伝送パラメータに限定されない、ということが理解されるべきである。普通伝送状態で効果を生じ得るすべての伝送パラメータは、本発明の保護範囲内にある。
【０１４７】
加えて、伝送パラメータセットに含まれる上述の例示された特定の物理パラメータは、単に、例示的な説明のためのものであり、本発明はそれらの物理パラメータに限定されない。例えば伝送パラメータセットは、送信波形をさらに含み得る。
【０１４８】
伝送ステータスが小サイズパケット伝送状態を含むとき、小サイズパケット伝送状態に対応する伝送パラメータセットでは、伝送パラメータが送信波形を含むならば、送信波形はフィルタ直交周波数分割多重Ｆ−ＯＦＤＭ波形又は直交周波数分割多重ＯＦＤＭ波形である。
【０１４９】
伝送ステータスが大スループット伝送状態を含むとき、大スループット伝送状態に対応する伝送パラメータセットでは、伝送パラメータが送信波形を含むならば、送信波形はキャリアアグリゲーション波形である。
【０１５０】
伝送ステータスが普通伝送状態を含むとき、普通伝送状態に対応する伝送パラメータセットでは、伝送パラメータが送信波形を含むならば、送信波形はＯＦＤＭ波形である。
【０１５１】
具体的には、小サイズパケット伝送は、相対的に少ないスペクトルリソースを占有し、したがって、低い帯域幅を占有するとともに、スペクトル側波帯上に漏れがほとんどない波形、例えるならＦ−ＯＦＤＭ波形が選択される必要がある。
【０１５２】
大スループット伝送の場合、大きな数量のスペクトルリソースが同時伝送のためにアグリゲートされる必要があり、したがって、複数の周波数帯域をアグリゲートするために、スペクトルアグリゲーション波形の使用が考慮される必要がある。
【０１５３】
下記での表２は、上述のＮ個の伝送ステータスとＮ個の伝送パラメータセットとの間の対応関係を指示するために使用される、エントリ（すなわち、第２のマッピング関係情報の一例）を示す。
【０１５４】
【表２】
0006426844.tif 000003
【０１５５】
本発明のこの実施形態では、任意の数量の伝送パラメータが伝送パラメータセットに含まれることができ、そのことは、特に本発明では限定されない、ということが理解されるべきである。
【０１５６】
加えて、上記では、３つの伝送ステータスが存する事例を例示するが、本発明はその事例に限定されない。代替的に、任意の数量の上述のステータスが含まれ得る。加えて、別のステータス、例えば非アクセス状態（又は、非伝送状態）が導入され得る。非アクセス状態は、データ又は情報が送信端上で送信される必要がないということを意味する。加えて、非アクセス状態では、送信端は、データを受信端に送出せず、したがって、伝送パラメータを使用することは必要とされない。したがって、非アクセス状態は、何らの伝送パラメータセットにも対応しなくてよい。
【０１５７】
同様に、基地局は、さらに、同様の方法及び手順を使用することにより第２のマッピング関係情報を取得し得る。
【０１５８】
したがって基地局は、上述の第２のマッピング関係情報に従って、伝送ステータス＃Ａに対応する伝送パラメータセットを判定し得る。下記では、理解を容易にするために、伝送パラメータセットは、伝送パラメータセット＃Ａとして示される。
【０１５９】
任意選択で、方法は、
第２の時間期間に、送信端デバイスにより送信される第２のシンボルシーケンスを第２の伝送パラメータセットに従って受信することをさらに含む。
【０１６０】
具体的には、第２の時間期間が始まるとＵＥ＃１が判定した後の、ＵＥ＃１による処理の間、ＵＥ＃１は、基地局に対して送出される必要があるデータに対して変調処理を実行して、第２のシンボルシーケンスを生成し、第２のシンボルシーケンスを、基地局に、伝送パラメータセット＃Ａを使用することにより送出し得る。
【０１６１】
任意選択で、第２のシンボルシーケンスを、第２の時間期間に、第２の伝送パラメータセットに従って受信端デバイスに送信することは、
第２の伝送ステータスを判定することであって、第２の伝送ステータスは第３の時間期間における送信端デバイスの伝送ステータスであり、第３の時間期間は第２の時間期間より後である、判定することと、
Ｎ個の変調パラメータセットから、第１のマッピング関係情報に従って、第２の伝送ステータスに対応する第２の変調パラメータセットを判定することと、
第２の変調パラメータセットに従って変調処理を実行して、第２のシンボルシーケンスを生成することと、
第２のシンボルシーケンスを、第２の時間期間に、第２の伝送パラメータセットに従って受信端デバイスに送信することとを含む。
【０１６２】
すなわち、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【０１６３】
具体的には、変調処理を実行して第２のシンボルシーケンスを生成するとき、ＵＥ＃１は、第３の時間期間（第２の時間期間より後）での伝送ステータスを判定し得る。下記では、理解及び説明を容易にするために、伝送ステータスは、伝送ステータス＃Ｂとして示される。加えて、伝送ステータス＃Ｂに対応する変調パラメータセットは、上述の第１のマッピング関係情報に従って判定される。下記では、理解及び説明を容易にするために、変調パラメータセットは、変調パラメータセット＃Ｂとして示される。
【０１６４】
したがって、上述の変調処理は、変調パラメータセット＃Ｂに従って第２のシンボルシーケンスを生成するために実行され得る。
【０１６５】
対応して基地局は、上述の判定された伝送パラメータセット＃Ａに従って上述の第２のシンボルシーケンスを受信することができ、ＵＥ＃１が変調処理を実行して第２のシンボルシーケンスを生成するときに使用される変調パラメータセット、すなわち変調パラメータセット＃Ｂを判定し得る。基地局は、変調パラメータセット＃Ｂに対応する伝送パラメータセットをさらに判定する。下記では、理解及び説明を容易にするために、伝送パラメータセットは、伝送パラメータセット＃Ｂとして示される。
【０１６６】
したがって、ＵＥ＃１及び基地局は、第３の時間期間に、伝送パラメータセット＃Ｂに従って情報を伝送し得る。
【０１６７】
第１のマッピング関係情報及び第２のマッピング関係情報が２つのエントリ内に記録される事例は、単に、例示的な説明のためのものであり、本発明はその事例に限定されない、ということが理解されるべきである。代替的に、変調パラメータセット、伝送ステータス、及び伝送パラメータセットの間のマッピング関係は、同じエントリ内に記録され得る。
【０１６８】
本発明のこの実施形態では、伝送ステータスはさらには、ユーザ機器のステータス（例えば、ユーザ機器によりアクセスされるサービス）に従って判定されるユーザステータスと呼称されることができる。したがって、通信を伝送ステータスに従って実行することは、通信がユーザ機器の要件を満たすことを可能にすることができ、そのことにより、ユーザエクスペリエンスを改善し、通信柔軟性を改善する。
【０１６９】
本発明のこの実施形態での情報伝送方法によれば、送信端デバイスは、第２の時間期間における送信端デバイスの伝送ステータスに対応する変調パラメータセットを判定し、第２の時間期間より前の第１の時間期間に、変調パラメータセットに基づいて、受信端デバイスに対して送出される必要があるデータに対して変調処理を実行し、生成されたシンボルを受信端デバイスに送出することができ、そのことによって、受信端デバイスは、受信されるシンボルに従って、送信端デバイスにより使用される変調パラメータセットを判定することができ、さらに、第２の時間期間における送信端デバイスのものであり、且つ変調パラメータセットに対応する、伝送ステータスを判定することができる。したがって、送信端デバイス及び受信端デバイスは、第２の時間期間に、伝送ステータスに対応するエアインタフェース伝送技術を選択して、インタラクションプロセス及びシステムリソースオーバヘッドが低減されるときの伝送ステータスの通知を実施することができ、そのことは、送信端デバイスと受信端デバイスとの間のインタラクションを単純化し、通信リソースオーバヘッドを低減し得る。
【０１７０】
図４は、送信端デバイスの観点から説明される、本発明の実施形態による、情報伝送方法３００の概略フローチャートを示す。図４で示されるように、方法３００は下記のステップを含む。
【０１７１】
Ｓ３１０：第１の伝送ステータスを判定することであって、第１の伝送ステータスは第２の時間期間における送信端デバイスの伝送ステータスである、判定することを行う。
【０１７２】
Ｓ３２０：あらかじめセットされた第１のマッピング関係情報に従って、第１の伝送ステータスに対応する第１の変調パラメータセットを判定することであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、変調パラメータセットは、下記のもの、すなわち、コンステレーションポイントセット又は符号帳のうちの少なくとも１つを含み、Ｎ≧２である、判定することを行う。
【０１７３】
Ｓ３３０：第１の変調パラメータセットに従って変調処理を実行して、第１のシンボルシーケンスを生成し、第１のシンボルシーケンスを、第１の時間期間に、受信端デバイスに送信することであって、第２の時間期間は第１の時間期間より後である、送信することを行う。
【０１７４】
任意選択で、方法は、
あらかじめセットされた第２のマッピング関係情報に従って、第１の伝送ステータスに対応する第２の伝送パラメータセットを判定することであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することをさらに含む。
【０１７５】
任意選択で、方法は、
第２のシンボルシーケンスを、第２の時間期間に、第２の伝送パラメータセットに従って受信端デバイスに送信することをさらに含む。
【０１７６】
任意選択で、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【０１７７】
任意選択で、第１のシンボルシーケンスを、第１の時間期間に、受信端デバイスに送信することは、
送信端デバイスと受信端デバイスとの間で第１の時間期間より前の第１のあらかじめセットされた継続期間範囲内に情報が伝送されないと判定されるとき、第１のシンボルシーケンスを、あらかじめセットされた第１の伝送パラメータセットに従って受信端デバイスに送信することであって、第１の伝送パラメータセットは、下記の伝送パラメータ、すなわち、フレーム構造、再伝送ポリシー、又は変調及びコーディングスキームのうちの少なくとも１つを含む、送信することを含む。
【０１７８】
任意選択で、Ｎ個の伝送ステータスは、下記の状態、すなわち、
小サイズパケット伝送状態、普通伝送状態、又は大スループット伝送状態のうちの少なくとも１つを含む。
【０１７９】
任意選択で、Ｎ個の伝送ステータスが小サイズパケット伝送状態を含むとき、小サイズパケット伝送状態に対応する伝送パラメータセットでは、
伝送パラメータがフレーム構造を含むならば、フレーム構造は１ｍｓ未満のフレーム長を伴うフレーム構造であるか、
伝送パラメータが再伝送ポリシーを含むならば、再伝送ポリシーは高速再伝送であるか、又は、
伝送パラメータが変調及びコーディングスキームを含むならば、変調及びコーディングスキームは、多元低密度パリティ検査符号若しくはポーラ符号である。
【０１８０】
任意選択で、Ｎ個の伝送ステータスが大スループット伝送状態を含むとき、大スループット伝送状態に対応する伝送パラメータセットでは、
伝送パラメータがフレーム構造を含むならば、フレーム構造は１ｍｓより長いフレーム長を伴うフレーム構造であるか、
伝送パラメータが再伝送ポリシーを含むならば、再伝送ポリシーはレートレス伝送であるか、又は、
伝送パラメータが変調及びコーディングスキームを含むならば、変調及びコーディングスキームは低密度パリティ検査符号である。
【０１８１】
任意選択で、Ｎ個の伝送ステータスが普通伝送状態を含むとき、普通伝送状態に対応する伝送パラメータセットでは、
伝送パラメータがフレーム構造を含むならば、フレーム構造は１ｍｓに等しいフレーム長を伴うフレーム構造であるか、
伝送パラメータが再伝送ポリシーを含むならば、再伝送ポリシーは標準再伝送であるか、又は、
伝送パラメータが変調及びコーディングスキームを含むならば、変調及びコーディングスキームは、低密度パリティ検査符号若しくはＴｕｒｂｏ符号である。
【０１８２】
任意選択で、変調パラメータセットは符号帳を含み、符号帳は符号語のセットであり、符号語は、情報ビットと変調シンボルとの間のマッピング関係を指示するために使用される。
【０１８３】
任意選択で、符号語はスパース符号多元接続ＳＣＭＡ符号語であり、符号帳はＳＣＭＡ符号帳である。
【０１８４】
方法３００では、送信端デバイスの動作は、上述の方法２００におけるＵＥ＃１の動作と同様であり、受信端デバイスの動作は、上述の方法２００における基地局の動作と同様である。繰り返しを避けるために、詳細な説明は、本明細書では省略される。
【０１８５】
本発明のこの実施形態では、伝送ステータスはさらには、ユーザ機器のステータス（例えば、ユーザ機器によりアクセスされるサービス）に従って判定されるユーザステータスと呼称されることができる。したがって、通信を伝送ステータスに従って実行することは、通信がユーザ機器の要件を満たすことを可能にすることができ、そのことにより、ユーザエクスペリエンスを改善し、通信柔軟性を改善する。
【０１８６】
本発明のこの実施形態での情報伝送方法によれば、送信端デバイスは、第２の時間期間における送信端デバイスの伝送ステータスに対応する変調パラメータセットを判定し、第２の時間期間より前の第１の時間期間に、変調パラメータセットに基づいて、受信端デバイスに対して送出される必要があるデータに対して変調処理を実行し、生成されたシンボルを受信端デバイスに送出することができ、そのことによって、受信端デバイスは、受信されるシンボルに従って、送信端デバイスにより使用される変調パラメータセットを判定することができ、さらに、第２の時間期間における送信端デバイスのものであり、且つ変調パラメータセットに対応する、伝送ステータスを判定することができる。したがって、送信端デバイス及び受信端デバイスは、第２の時間期間に、伝送ステータスに対応するエアインタフェース伝送技術を選択して、インタラクションプロセス及びシステムリソースオーバヘッドが低減されるときの伝送ステータスの通知を実施することができ、そのことは、送信端デバイスと受信端デバイスとの間のインタラクションを単純化し、通信リソースオーバヘッドを低減し得る。
【０１８７】
上記では、図１から図４を参照して、本発明の実施形態による情報伝送方法の詳細な説明を提供する。下記では、図５及び図６を参照して、本発明の実施形態による情報伝送装置の詳細な説明を提供する。
【０１８８】
図５は、本発明の実施形態による、情報伝送装置４００の概略ブロック図を示す。図５で示されるように、装置４００は、
第１の時間期間に、送信端デバイスにより送出される第１のシンボルシーケンスを受信するように構成される受信ユニット４１０と、
第１の変調パラメータセットを、第１のシンボルシーケンスに従って判定することであって、第１の変調パラメータセットは、送信端デバイスが変調処理を実行して第１のシンボルシーケンスを生成するときに使用される変調パラメータセットであり、変調パラメータセットは、下記のもの、すなわち、コンステレーションポイントセット又は符号帳のうちの少なくとも１つを含む、判定することと、あらかじめセットされた第１のマッピング関係情報に従って、第１の変調パラメータセットに対応する第１の伝送ステータスを、第２の時間期間における送信端デバイスの伝送ステータスとして判定することであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、第２の時間期間は第１の時間期間より後であり、Ｎ≧２である、判定することとを行うように構成される判定ユニット４２０とを含む。
【０１８９】
任意選択で、判定ユニットは、あらかじめセットされた第２のマッピング関係情報に従って、第１の伝送ステータスに対応する第２の伝送パラメータセットを判定することであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することを行うようにさらに構成される。
【０１９０】
任意選択で、受信ユニットは、第２の時間期間に、送信端デバイスにより送信される第２のシンボルシーケンスを第２の伝送パラメータセットに従って受信するようにさらに構成される。
【０１９１】
任意選択で、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【０１９２】
任意選択で、受信ユニットは、具体的には、送信端デバイスと受信端デバイスとの間で第１の時間期間より前の第１のあらかじめセットされた継続期間範囲内に情報が伝送されないと判定されるとき、受信端デバイスにより、第１の時間期間に、送信端デバイスにより送出される第１のシンボルシーケンスをあらかじめセットされた第１の伝送パラメータセットに従って受信することであって、第１の伝送パラメータセットは、下記の伝送パラメータ、すなわち、フレーム構造、再伝送ポリシー、又は変調及びコーディングスキームのうちの少なくとも１つを含む、受信することを行うように構成される。
【０１９３】
任意選択で、判定ユニットは、具体的には、シンボルサブシーケンスを第１のシンボルシーケンスから切り取ることであって、シンボルサブシーケンスは少なくとも２つのシンボルを含む、切り取ることと、
第１の変調パラメータセットを、シンボルサブシーケンスに従って判定することとを行うように構成される。
【０１９４】
任意選択で、シンボルサブシーケンスは、第１のシンボルシーケンス内の最初のＫ個のシンボルであり、Ｋはあらかじめセットされた値であり、Ｋ≧２であるか、又は、
シンボルサブシーケンスは、受信端デバイスとネットワークデバイスとの間のチャネルの品質が、あらかじめセットされた条件を満たすときに受信される、第１のシンボルシーケンス内のシンボルを含む。
【０１９５】
任意選択で、Ｎ個の伝送ステータスは、下記の状態、すなわち、
小サイズパケット伝送状態、普通伝送状態、又は大スループット伝送状態のうちの少なくとも１つを含む。
【０１９６】
任意選択で、Ｎ個の伝送ステータスが小サイズパケット伝送状態を含むとき、小サイズパケット伝送状態に対応する伝送パラメータセットでは、
伝送パラメータがフレーム構造を含むならば、フレーム構造は１ｍｓ未満のフレーム長を伴うフレーム構造であるか、
伝送パラメータが再伝送ポリシーを含むならば、再伝送ポリシーは高速再伝送であるか、又は、
伝送パラメータが変調及びコーディングスキームを含むならば、変調及びコーディングスキームは、多元低密度パリティ検査符号若しくはポーラ符号である。
【０１９７】
任意選択で、Ｎ個の伝送ステータスが大スループット伝送状態を含むとき、大スループット伝送状態に対応する伝送パラメータセットでは、
伝送パラメータがフレーム構造を含むならば、フレーム構造は１ｍｓより長いフレーム長を伴うフレーム構造であるか、
伝送パラメータが再伝送ポリシーを含むならば、再伝送ポリシーはレートレス伝送であるか、又は、
伝送パラメータが変調及びコーディングスキームを含むならば、変調及びコーディングスキームは低密度パリティ検査符号である。
【０１９８】
任意選択で、Ｎ個の伝送ステータスが普通伝送状態を含むとき、普通伝送状態に対応する伝送パラメータセットでは、
伝送パラメータがフレーム構造を含むならば、フレーム構造は１ｍｓに等しいフレーム長を伴うフレーム構造であるか、
伝送パラメータが再伝送ポリシーを含むならば、再伝送ポリシーは標準再伝送であるか、又は、
伝送パラメータが変調及びコーディングスキームを含むならば、変調及びコーディングスキームは、低密度パリティ検査符号若しくはＴｕｒｂｏ符号である。
【０１９９】
任意選択で、変調パラメータセットは符号帳を含み、符号帳は符号語のセットであり、符号語は、情報ビットと変調シンボルとの間のマッピング関係を指示するために使用される。
【０２００】
任意選択で、符号語はスパース符号多元接続ＳＣＭＡ符号語であり、符号帳はＳＣＭＡ符号帳である。
【０２０１】
任意選択で、装置は受信端デバイスであり、受信端デバイスはネットワークデバイスである。
【０２０２】
本発明のこの実施形態による情報伝送装置４００は、本発明の実施形態での方法における受信端デバイス（例えば、基地局）に対応し得る。加えて、情報伝送装置４００の、すべてのユニット又はモジュール、並びに、上述の他の動作及び／又は機能は、別々に、図２での方法２００の対応する手順を実施するためのものである。簡潔のために、詳細は、本明細書では説明されない。
【０２０３】
本発明のこの実施形態での情報伝送装置によれば、送信端デバイスは、第２の時間期間における送信端デバイスの伝送ステータスに対応する変調パラメータセットを判定し、第２の時間期間より前の第１の時間期間に、変調パラメータセットに基づいて、受信端デバイスに対して送出される必要があるデータに対して変調処理を実行し、生成されたシンボルを受信端デバイスに送出することができ、そのことによって、受信端デバイスは、受信されるシンボルに従って、送信端デバイスにより使用される変調パラメータセットを判定することができ、さらに、第２の時間期間における送信端デバイスのものであり、且つ変調パラメータセットに対応する、伝送ステータスを判定することができる。したがって、送信端デバイス及び受信端デバイスは、第２の時間期間に、伝送ステータスに対応するエアインタフェース伝送技術を選択して、インタラクションプロセス及びシステムリソースオーバヘッドが低減されるときの伝送ステータスの通知を実施することができ、そのことは、送信端デバイスと受信端デバイスとの間のインタラクションを単純化し、通信リソースオーバヘッドを低減し得る。
【０２０４】
図６は、本発明の実施形態による、情報伝送装置５００の概略ブロック図を示す。図６で示されるように、装置５００は、
第１の伝送ステータスを判定することであって、第１の伝送ステータスは第２の時間期間における送信端デバイスの伝送ステータスである、判定することと、あらかじめセットされた第１のマッピング関係情報に従って、第１の伝送ステータスに対応する第１の変調パラメータセットを判定することであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、Ｎ≧２であり、変調パラメータセットは、下記のもの、すなわち、コンステレーションポイントセット又は符号帳のうちの少なくとも１つを含む、判定することとを行うように構成される判定ユニット５１０と、
第１の変調パラメータセットに従って変調処理を実行して、第１のシンボルシーケンスを生成し、第１のシンボルシーケンスを、第１の時間期間に、受信端デバイスに送信することであって、第２の時間期間は第１の時間期間より後である、送信することを行うように構成される送出ユニット５２０とを含む。
【０２０５】
任意選択で、判定ユニットは、あらかじめセットされた第２のマッピング関係情報に従って、第１の伝送ステータスに対応する第２の伝送パラメータセットを判定することであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することを行うようにさらに構成される。
【０２０６】
任意選択で、送出ユニットは、第２のシンボルシーケンスを、第２の時間期間に、第２の伝送パラメータセットに従って受信端デバイスに送信するようにさらに構成される。
【０２０７】
任意選択で、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【０２０８】
任意選択で、送出ユニットは、具体的には、送信端デバイスと受信端デバイスとの間で第１の時間期間より前の第１のあらかじめセットされた継続期間範囲内に情報が伝送されないと判定されるとき、第１のシンボルシーケンスを、あらかじめセットされた第１の伝送パラメータセットに従って受信端デバイスに送信することであって、第１の伝送パラメータセットは、下記の伝送パラメータ、すなわち、フレーム構造、再伝送ポリシー、又は変調及びコーディングスキームのうちの少なくとも１つを含む、送信することを行うように構成される。
【０２０９】
任意選択で、Ｎ個の伝送ステータスは、下記の状態、すなわち、
小サイズパケット伝送状態、普通伝送状態、又は大スループット伝送状態のうちの少なくとも１つを含む。
【０２１０】
任意選択で、Ｎ個の伝送ステータスが小サイズパケット伝送状態を含むとき、小サイズパケット伝送状態に対応する伝送パラメータセットでは、
伝送パラメータがフレーム構造を含むならば、フレーム構造は１ｍｓ未満のフレーム長を伴うフレーム構造であるか、
伝送パラメータが再伝送ポリシーを含むならば、再伝送ポリシーは高速再伝送であるか、又は、
伝送パラメータが変調及びコーディングスキームを含むならば、変調及びコーディングスキームは、多元低密度パリティ検査符号若しくはポーラ符号である。
【０２１１】
任意選択で、Ｎ個の伝送ステータスが大スループット伝送状態を含むとき、大スループット伝送状態に対応する伝送パラメータセットでは、
伝送パラメータがフレーム構造を含むならば、フレーム構造は１ｍｓより長いフレーム長を伴うフレーム構造であるか、
伝送パラメータが再伝送ポリシーを含むならば、再伝送ポリシーはレートレス伝送であるか、又は、
伝送パラメータが変調及びコーディングスキームを含むならば、変調及びコーディングスキームは低密度パリティ検査符号である。
【０２１２】
任意選択で、Ｎ個の伝送ステータスが普通伝送状態を含むとき、普通伝送状態に対応する伝送パラメータセットでは、
伝送パラメータがフレーム構造を含むならば、フレーム構造は１ｍｓに等しいフレーム長を伴うフレーム構造であるか、
伝送パラメータが再伝送ポリシーを含むならば、再伝送ポリシーは標準再伝送であるか、又は、
伝送パラメータが変調及びコーディングスキームを含むならば、変調及びコーディングスキームは、低密度パリティ検査符号若しくはＴｕｒｂｏ符号である。
【０２１３】
任意選択で、変調パラメータセットは符号帳を含み、符号帳は符号語のセットであり、符号語は、情報ビットと変調シンボルとの間のマッピング関係を指示するために使用される。
【０２１４】
任意選択で、符号語はスパース符号多元接続ＳＣＭＡ符号語であり、符号帳はＳＣＭＡ符号帳である。
【０２１５】
任意選択で、装置は送信端デバイスであり、送信端デバイスは端末デバイスである。
【０２１６】
本発明のこの実施形態による情報伝送装置５００は、本発明の実施形態での方法における送信端デバイス（例えば、ＵＥ＃１）に対応し得る。加えて、情報伝送装置５００の、すべてのユニット又はモジュール、並びに、上述の他の動作及び／又は機能は、別々に、図４での方法３００の対応する手順を実施するためのものである。簡潔のために、詳細は、本明細書では説明されない。
【０２１７】
本発明のこの実施形態での情報伝送装置によれば、送信端デバイスは、第２の時間期間における送信端デバイスの伝送ステータスに対応する変調パラメータセットを判定し、第２の時間期間より前の第１の時間期間に、変調パラメータセットに基づいて、受信端デバイスに対して送出される必要があるデータに対して変調処理を実行し、生成されたシンボルを受信端デバイスに送出することができ、そのことによって、受信端デバイスは、受信されるシンボルに従って、送信端デバイスにより使用される変調パラメータセットを判定することができ、さらに、第２の時間期間における送信端デバイスのものであり、且つ変調パラメータセットに対応する、伝送ステータスを判定することができる。したがって、送信端デバイス及び受信端デバイスは、第２の時間期間に、伝送ステータスに対応するエアインタフェース伝送技術を選択して、インタラクションプロセス及びシステムリソースオーバヘッドが低減されるときの伝送ステータスの通知を実施することができ、そのことは、送信端デバイスと受信端デバイスとの間のインタラクションを単純化し、通信リソースオーバヘッドを低減し得る。
【０２１８】
上記では、図１から図４を参照して、本発明の実施形態による情報伝送方法の詳細な説明を提供する。下記では、図７及び図８を参照して、本発明の実施形態による情報伝送デバイスの詳細な説明を提供する。
【０２１９】
図７は、本発明の実施形態による、情報伝送デバイス６００の概略ブロック図を示す。図７で示されるように、デバイス６００は、
バス６１０と、
バスに接続されるプロセッサ６２０と、
バスに接続されるメモリ６３０と、
バスに接続される受信機６４０とを含み、
プロセッサは、バスを使用することにより、メモリ内に記憶されるプログラムを呼び出し、
受信機を制御して、第１の時間期間に、送信端デバイスにより送出される第１のシンボルシーケンスを受信するように構成され、
第１の変調パラメータセットを、第１のシンボルシーケンスに従って判定することであって、第１の変調パラメータセットは、送信端デバイスが変調処理を実行して第１のシンボルシーケンスを生成するときに使用される変調パラメータセットであり、変調パラメータセットは、下記のもの、すなわち、コンステレーションポイントセット又は符号帳のうちの少なくとも１つを含む、判定することを行うように構成され、そして、
あらかじめセットされた第１のマッピング関係情報に従って、第１の変調パラメータセットに対応する第１の伝送ステータスを、第２の時間期間における送信端デバイスの伝送ステータスとして判定することであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、第２の時間期間は第１の時間期間より後であり、Ｎ≧２である、判定することを行うように構成される。
【０２２０】
任意選択で、プロセッサは、あらかじめセットされた第２のマッピング関係情報に従って、第１の伝送ステータスに対応する第２の伝送パラメータセットを判定することであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することを行うようにさらに構成される。
【０２２１】
任意選択で、プロセッサは、受信機を制御して、第２の時間期間に、送信端デバイスにより送信される第２のシンボルシーケンスを第２の伝送パラメータセットに従って受信するようにさらに構成される。
【０２２２】
任意選択で、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【０２２３】
任意選択で、プロセッサは、具体的には、送信端デバイスと受信端デバイスとの間で第１の時間期間より前の第１のあらかじめセットされた継続期間範囲内に情報が伝送されないと判定されるとき、受信機を制御して、第１の時間期間に、送信端デバイスにより送出される第１のシンボルシーケンスをあらかじめセットされた第１の伝送パラメータセットに従って受信することであって、第１の伝送パラメータセットは、下記の伝送パラメータ、すなわち、フレーム構造、再伝送ポリシー、又は変調及びコーディングスキームのうちの少なくとも１つを含む、受信することを行うように構成される。
【０２２４】
任意選択で、プロセッサは、具体的には、シンボルサブシーケンスを第１のシンボルシーケンスから切り取ることであって、シンボルサブシーケンスは少なくとも２つのシンボルを含む、切り取ることと、
第１の変調パラメータセットを、シンボルサブシーケンスに従って判定することとを行うように構成される。
【０２２５】
任意選択で、シンボルサブシーケンスは、第１のシンボルシーケンス内の最初のＫ個のシンボルであり、Ｋはあらかじめセットされた値であり、Ｋ≧２であるか、又は、
シンボルサブシーケンスは、受信端デバイスとネットワークデバイスとの間のチャネルの品質が、あらかじめセットされた条件を満たすときに受信される、第１のシンボルシーケンス内のシンボルを含む。
【０２２６】
任意選択で、Ｎ個の伝送ステータスは、下記の状態、すなわち、
小サイズパケット伝送状態、普通伝送状態、又は大スループット伝送状態のうちの少なくとも１つを含む。
【０２２７】
任意選択で、Ｎ個の伝送ステータスが小サイズパケット伝送状態を含むとき、小サイズパケット伝送状態に対応する伝送パラメータセットでは、
伝送パラメータがフレーム構造を含むならば、フレーム構造は１ｍｓ未満のフレーム長を伴うフレーム構造であるか、
伝送パラメータが再伝送ポリシーを含むならば、再伝送ポリシーは高速再伝送であるか、又は、
伝送パラメータが変調及びコーディングスキームを含むならば、変調及びコーディングスキームは、多元低密度パリティ検査符号若しくはポーラ符号である。
【０２２８】
任意選択で、Ｎ個の伝送ステータスが大スループット伝送状態を含むとき、大スループット伝送状態に対応する伝送パラメータセットでは、
伝送パラメータがフレーム構造を含むならば、フレーム構造は１ｍｓより長いフレーム長を伴うフレーム構造であるか、
伝送パラメータが再伝送ポリシーを含むならば、再伝送ポリシーはレートレス伝送であるか、又は、
伝送パラメータが変調及びコーディングスキームを含むならば、変調及びコーディングスキームは低密度パリティ検査符号である。
【０２２９】
任意選択で、Ｎ個の伝送ステータスが普通伝送状態を含むとき、普通伝送状態に対応する伝送パラメータセットでは、
伝送パラメータがフレーム構造を含むならば、フレーム構造は１ｍｓに等しいフレーム長を伴うフレーム構造であるか、
伝送パラメータが再伝送ポリシーを含むならば、再伝送ポリシーは標準再伝送であるか、又は、
伝送パラメータが変調及びコーディングスキームを含むならば、変調及びコーディングスキームは、低密度パリティ検査符号若しくはＴｕｒｂｏ符号である
。
【０２３０】
本発明のこの実施形態は、様々な通信デバイスに適用され得る。
【０２３１】
デバイス６００の受信機は、受信機回路と、電力コントローラと、復号器と、アンテナとを含み得る。加えて、デバイス６００は、送信機をさらに含むことができ、送信機は、送信機回路と、電力コントローラと、符号化器と、アンテナとを含むことができる。
【０２３２】
任意選択で、変調パラメータセットは符号帳を含み、符号帳は符号語のセットであり、符号語は、情報ビットと変調シンボルとの間のマッピング関係を指示するために使用される。
【０２３３】
任意選択で、符号語はスパース符号多元接続ＳＣＭＡ符号語であり、符号帳はＳＣＭＡ符号帳である。
【０２３４】
任意選択で、デバイスは受信端デバイスであり、受信端デバイスはネットワークデバイスである。
【０２３５】
プロセッサはさらには、ＣＰＵと呼称され得る。メモリは、読み出し専用メモリ及びランダムアクセスメモリを含み、命令及びデータをプロセッサに対して提供し得る。メモリの一部分は、不揮発性ランダムアクセスメモリ（ＮＶＲＡＭ）をさらに含み得る。特定の用途では、デバイス６００は、ワイヤレス通信デバイス、例えるなら移動電話、若しくは、ネットワークデバイス、例えるなら基地局内に構築され得るか、又は、それらのワイヤレス通信デバイス若しくはネットワークデバイスであり得るとともに、送信機回路及び受信機回路を収容するキャリアをさらに含むことができ、それにより、デバイス６００と遠隔の位置との間のデータの送信及び受信を可能にする。送信機回路及び受信機回路は、アンテナに結合され得る。デバイス６００のすべての構成要素は、バスを使用することにより互いに結合され得る。バスは、データバスに加えて、電力バス、制御バス、及びステータス信号バスをさらに含む。しかしながら、明確な説明のために、図において、すべての種類のバスがバス６１０として示される。特定の異なる製品では、復号器は処理ユニットと統合され得る。
【０２３６】
プロセッサは、本発明の方法実施形態で開示される、すべてのステップ及び論理ブロック図を、実現又は実行し得る。汎用プロセッサはマイクロプロセッサであり得るか、又はプロセッサは、任意の従来のプロセッサ、復号器、若しくは類するものであり得る。本発明のこの実施形態との関連で開示される方法のステップは、ハードウェアプロセッサにより直接実行及び完遂され得るか、又は、復号プロセッサ内のハードウェア及びソフトウェアモジュールの組み合わせにより実行及び完遂され得る。ソフトウェアモジュールは、当分野での成熟した記憶媒体、例えるならランダムアクセスメモリ、フラッシュメモリ、読み出し専用メモリ、プログラマブル読み出し専用メモリ若しくは電気的消去可能プログラマブルメモリ、又はレジスタ内に配置され得る。
【０２３７】
本発明のこの実施形態では、プロセッサ６２０は、中央処理ユニット（Ｃｅｎｔｒａｌ  Ｐｒｏｃｅｓｓｉｎｇ  Ｕｎｉｔ，略して「ＣＰＵ」）であり得るか、或いはプロセッサ６２０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）若しくは別のプログラマブル論理デバイス、ディスクリートゲート若しくはトランジスタ論理デバイス、ディスクリートハードウェア構成要素、又は類するものであり得る、ということが理解されるべきである。汎用プロセッサはマイクロプロセッサであり得るか、又はプロセッサは、任意の従来のプロセッサ若しくは類するものであり得る。
【０２３８】
メモリ６３０は、読み出し専用メモリ及びランダムアクセスメモリを含み、命令及びデータをプロセッサ６２０に対して提供し得る。メモリ６３０の一部分は、不揮発性ランダムアクセスメモリをさらに含み得る。例えばメモリ６３０は、デバイスタイプに関する情報をさらに記憶し得る。
【０２３９】
バスシステム６１０は、データバスに加えて、電力バス、制御バス、及びステータス信号バスをさらに含み得る。しかしながら、明確な説明のために、図において、すべての種類のバスがバスシステム６１０として示される。
【０２４０】
実現プロセスでは、上述の方法のステップは、ハードウェア内の集積論理回路によるか、又はプロセッサ６２０内のソフトウェアの形式での命令により、実行され得る。本発明のこの実施形態との関連で開示される方法のステップは、ハードウェアプロセッサにより直接実行及び完遂され得るか、又は、プロセッサ内のハードウェア及びソフトウェアモジュールの組み合わせにより実行及び完遂され得る。ソフトウェアモジュールは、当分野での成熟した記憶媒体、例えるならランダムアクセスメモリ、フラッシュメモリ、読み出し専用メモリ、プログラマブル読み出し専用メモリ若しくは電気的消去可能プログラマブルメモリ、又はレジスタ内に配置され得る。記憶媒体はメモリ６３０内に配置され、プロセッサ６２０は、情報をメモリ６３０から読み出し、そのプロセッサのハードウェアとの関連で、上述の方法でのステップを実行する。繰り返しを避けるために、詳細は、本明細書では説明されない。
【０２４１】
本発明のこの実施形態による情報伝送デバイス６００は、本発明の実施形態での方法における受信端デバイス（例えば、基地局）に対応し得る。加えて、情報伝送デバイス６００の、すべてのユニット又はモジュール、並びに、上述の他の動作及び／又は機能は、別々に、図２での方法２００の対応する手順を実施するためのものである。簡潔のために、詳細は、本明細書では説明されない。
【０２４２】
本発明のこの実施形態での情報伝送デバイスによれば、送信端デバイスは、第２の時間期間における送信端デバイスの伝送ステータスに対応する変調パラメータセットを判定し、第２の時間期間より前の第１の時間期間に、変調パラメータセットに基づいて、受信端デバイスに対して送出される必要があるデータに対して変調処理を実行し、生成されたシンボルを受信端デバイスに送出することができ、そのことによって、受信端デバイスは、受信されるシンボルに従って、送信端デバイスにより使用される変調パラメータセットを判定することができ、さらに、第２の時間期間における送信端デバイスのものであり、且つ変調パラメータセットに対応する、伝送ステータスを判定することができる。したがって、送信端デバイス及び受信端デバイスは、第２の時間期間に、伝送ステータスに対応するエアインタフェース伝送技術を選択して、インタラクションプロセス及びシステムリソースオーバヘッドが低減されるときの伝送ステータスの通知を実施することができ、そのことは、送信端デバイスと受信端デバイスとの間のインタラクションを単純化し、通信リソースオーバヘッドを低減し得る。
【０２４３】
図８は、本発明の実施形態による、情報伝送デバイス７００の概略ブロック図を示す。図８で示されるように、デバイス７００は、
バス７１０と、
バスに接続されるプロセッサ７２０と、
バスに接続されるメモリ７３０と、
バスに接続される送信機７４０とを含み、
プロセッサは、バスを使用することにより、メモリ内に記憶されるプログラムを呼び出し、
第１の伝送ステータスを判定することであって、第１の伝送ステータスは第２の時間期間における送信端デバイスの伝送ステータスである、判定することを行うように構成され、
あらかじめセットされた第１のマッピング関係情報に従って、第１の伝送ステータスに対応する第１の変調パラメータセットを判定することであって、第１のマッピング関係情報はＮ個の伝送ステータスとＮ個の変調パラメータセットとの間の１対１のマッピング関係を指示するために使用され、第１の変調パラメータセットはＮ個の変調パラメータセットに属し、第１の伝送ステータスはＮ個の伝送ステータスに属し、Ｎ≧２であり、変調パラメータセットは、下記のもの、すなわち、コンステレーションポイントセット又は符号帳のうちの少なくとも１つを含む、判定することを行うように構成され、そして、
第１の変調パラメータセットに従って変調処理を実行して、第１のシンボルシーケンスを生成し、送信機を制御して、第１のシンボルシーケンスを、第１の時間期間に、受信端デバイスに送信することであって、第２の時間期間は第１の時間期間より後である、送信することを行うように構成される。
【０２４４】
任意選択で、プロセッサは、あらかじめセットされた第２のマッピング関係情報に従って、第１の伝送ステータスに対応する第２の伝送パラメータセットを判定することであって、第２のマッピング関係情報はＮ個の伝送ステータスとＮ個の伝送パラメータセットとの間の１対１のマッピング関係を指示するために使用され、第２の伝送パラメータセットはＮ個の伝送パラメータセットに属し、各々の伝送パラメータセットは、下記の伝送パラメータ、すなわち、フレーム構造、再伝送ポリシー、又は変調及びコーディングスキームのうちの少なくとも１つを含む、判定することを行うようにさらに構成される。
【０２４５】
任意選択で、プロセッサは、送信機を制御して、第２のシンボルシーケンスを、第２の時間期間に、第２の伝送パラメータセットに従って受信端デバイスに送信するようにさらに構成される。
【０２４６】
任意選択で、第２のシンボルシーケンスは、第２の変調パラメータセットに基づいて変調処理が実行された後に生成されるシンボルであり、第２の変調パラメータセットは第２の伝送ステータスに対応し、第２の伝送ステータスは第３の時間期間における送信端デバイスの伝送ステータスであり、第３の時間期間は第２の時間期間より後である。
【０２４７】
任意選択で、プロセッサは、具体的には、送信端デバイスと受信端デバイスとの間で第１の時間期間より前の第１のあらかじめセットされた継続期間範囲内に情報が伝送されないと判定されるとき、送信機を制御して、第１のシンボルシーケンスを、あらかじめセットされた第１の伝送パラメータセットに従って受信端デバイスに送信することであって、第１の伝送パラメータセットは、下記の伝送パラメータ、すなわち、フレーム構造、再伝送ポリシー、又は変調及びコーディングスキームのうちの少なくとも１つを含む、送信することを行うように構成される。
【０２４８】
任意選択で、Ｎ個の伝送ステータスは、下記の状態、すなわち、
小サイズパケット伝送状態、普通伝送状態、又は大スループット伝送状態のうちの少なくとも１つを含む。
【０２４９】
任意選択で、Ｎ個の伝送ステータスが小サイズパケット伝送状態を含むとき、小サイズパケット伝送状態に対応する伝送パラメータセットでは、
伝送パラメータがフレーム構造を含むならば、フレーム構造は１ｍｓ未満のフレーム長を伴うフレーム構造であるか、
伝送パラメータが再伝送ポリシーを含むならば、再伝送ポリシーは高速再伝送であるか、又は、
伝送パラメータが変調及びコーディングスキームを含むならば、変調及びコーディングスキームは、多元低密度パリティ検査符号若しくはポーラ符号である。
【０２５０】
任意選択で、Ｎ個の伝送ステータスが大スループット伝送状態を含むとき、大スループット伝送状態に対応する伝送パラメータセットでは、
伝送パラメータがフレーム構造を含むならば、フレーム構造は１ｍｓより長いフレーム長を伴うフレーム構造であるか、
伝送パラメータが再伝送ポリシーを含むならば、再伝送ポリシーはレートレス伝送であるか、又は、
伝送パラメータが変調及びコーディングスキームを含むならば、変調及びコーディングスキームは低密度パリティ検査符号である。
【０２５１】
任意選択で、Ｎ個の伝送ステータスが普通伝送状態を含むとき、普通伝送状態に対応する伝送パラメータセットでは、
伝送パラメータがフレーム構造を含むならば、フレーム構造は１ｍｓに等しいフレーム長を伴うフレーム構造であるか、
伝送パラメータが再伝送ポリシーを含むならば、再伝送ポリシーは標準再伝送であるか、又は、
伝送パラメータが変調及びコーディングスキームを含むならば、変調及びコーディングスキームは、低密度パリティ検査符号若しくはＴｕｒｂｏ符号である。
【０２５２】
任意選択で、変調パラメータセットは符号帳を含み、符号帳は符号語のセットであり、符号語は、情報ビットと変調シンボルとの間のマッピング関係を指示するために使用される。
【０２５３】
任意選択で、符号語はスパース符号多元接続ＳＣＭＡ符号語であり、符号帳はＳＣＭＡ符号帳である。
【０２５４】
任意選択で、デバイスは送信端デバイスであり、送信端デバイスは端末デバイスである。
【０２５５】
デバイス７００の送信機は、送信機回路と、電力コントローラと、符号化器と、アンテナとを含み得る。デバイス７００は、受信機をさらに含むことができ、受信機は、受信機回路と、電力コントローラと、復号器と、アンテナとを含むことができる。
【０２５６】
プロセッサはさらには、ＣＰＵと呼称され得る。メモリは、読み出し専用メモリ及びランダムアクセスメモリを含み、命令及びデータをプロセッサに対して提供し得る。メモリの一部分は、不揮発性ランダムアクセスメモリ（ＮＶＲＡＭ）をさらに含み得る。特定の用途では、デバイス７００は、ワイヤレス通信デバイス、例えるなら移動電話、若しくは、ネットワークデバイス、例えるなら基地局内に構築され得るか、又は、それらのワイヤレス通信デバイス若しくはネットワークデバイスであり得るとともに、送信機回路及び受信機回路を収容するキャリアをさらに含むことができ、それにより、デバイス７００と遠隔の位置との間のデータの送信及び受信を可能にする。送信機回路及び受信機回路は、アンテナに結合され得る。デバイス７００のすべての構成要素は、バスを使用することにより互いに結合され得る。バスは、データバスに加えて、電力バス、制御バス、及びステータス信号バスをさらに含む。しかしながら、明確な説明のために、図において、すべての種類のバスがバス７１０として示される。特定の異なる製品では、復号器は処理ユニットと統合され得る。
【０２５７】
プロセッサは、本発明の方法実施形態で開示される、すべてのステップ及び論理ブロック図を、実現又は実行し得る。汎用プロセッサはマイクロプロセッサであり得るか、又はプロセッサは、任意の従来のプロセッサ、復号器、若しくは類するものであり得る。本発明のこの実施形態との関連で開示される方法のステップは、ハードウェアプロセッサにより直接実行及び完遂され得るか、又は、復号プロセッサ内のハードウェア及びソフトウェアモジュールの組み合わせにより実行及び完遂され得る。ソフトウェアモジュールは、当分野での成熟した記憶媒体、例えるならランダムアクセスメモリ、フラッシュメモリ、読み出し専用メモリ、プログラマブル読み出し専用メモリ若しくは電気的消去可能プログラマブルメモリ、又はレジスタ内に配置され得る。
【０２５８】
本発明のこの実施形態では、プロセッサ７２０は、中央処理ユニット（Ｃｅｎｔｒａｌ  Ｐｒｏｃｅｓｓｉｎｇ  Ｕｎｉｔ，略して「ＣＰＵ」）であり得るか、或いはプロセッサ７２０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）若しくは別のプログラマブル論理デバイス、ディスクリートゲート若しくはトランジスタ論理デバイス、ディスクリートハードウェア構成要素、又は類するものであり得る、ということが理解されるべきである。汎用プロセッサはマイクロプロセッサであり得るか、又はプロセッサは、任意の従来のプロセッサ若しくは類するものであり得る。
【０２５９】
メモリ７３０は、読み出し専用メモリ及びランダムアクセスメモリを含み、命令及びデータをプロセッサ７２０に対して提供し得る。メモリ７３０の一部分は、不揮発性ランダムアクセスメモリをさらに含み得る。例えばメモリ７３０は、デバイスタイプに関する情報をさらに記憶し得る。
【０２６０】
バスシステム７１０は、データバスに加えて、電力バス、制御バス、及びステータス信号バスをさらに含み得る。しかしながら、明確な説明のために、図において、すべての種類のバスがバスシステム７１０として示される。
【０２６１】
実現プロセスでは、上述の方法のステップは、ハードウェア内の集積論理回路によるか、又はプロセッサ７２０内のソフトウェアの形式での命令により、実行され得る。本発明のこの実施形態との関連で開示される方法のステップは、ハードウェアプロセッサにより直接実行及び完遂され得るか、又は、プロセッサ内のハードウェア及びソフトウェアモジュールの組み合わせにより実行及び完遂され得る。ソフトウェアモジュールは、当分野での成熟した記憶媒体、例えるならランダムアクセスメモリ、フラッシュメモリ、読み出し専用メモリ、プログラマブル読み出し専用メモリ若しくは電気的消去可能プログラマブルメモリ、又はレジスタ内に配置され得る。記憶媒体はメモリ７３０内に配置され、プロセッサ７２０は、情報をメモリ７３０から読み出し、そのプロセッサのハードウェアとの関連で、上述の方法でのステップを実行する。繰り返しを避けるために、詳細は、本明細書では説明されない。
【０２６２】
本発明のこの実施形態による情報伝送デバイス７００は、本発明の実施形態での方法における送信端デバイス（例えば、ＵＥ＃１）に対応し得る。加えて、情報伝送デバイス７００の、すべてのユニット又はモジュール、並びに、上述の他の動作及び／又は機能は、別々に、図４での方法３００の対応する手順を実施するためのものである。簡潔のために、詳細は、本明細書では説明されない。
【０２６３】
本発明のこの実施形態での情報伝送デバイスによれば、送信端デバイスは、第２の時間期間における送信端デバイスの伝送ステータスに対応する変調パラメータセットを判定し、第２の時間期間より前の第１の時間期間に、変調パラメータセットに基づいて、受信端デバイスに対して送出される必要があるデータに対して変調処理を実行し、生成されたシンボルを受信端デバイスに送出することができ、そのことによって、受信端デバイスは、受信されるシンボルに従って、送信端デバイスにより使用される変調パラメータセットを判定することができ、さらに、第２の時間期間における送信端デバイスのものであり、且つ変調パラメータセットに対応する、伝送ステータスを判定することができる。したがって、送信端デバイス及び受信端デバイスは、第２の時間期間に、伝送ステータスに対応するエアインタフェース伝送技術を選択して、インタラクションプロセス及びシステムリソースオーバヘッドが低減されるときの伝送ステータスの通知を実施することができ、そのことは、送信端デバイスと受信端デバイスとの間のインタラクションを単純化し、通信リソースオーバヘッドを低減し得る。
【０２６４】
上述のプロセスのシーケンス番号は、本発明の様々な実施形態での実行シーケンスを意味しない、ということが理解されるべきである。プロセスの実行シーケンスは、プロセスの機能及び内部論理に従って判定されるべきであり、本発明の実施形態の実現プロセスに関する何らかの限定と解釈されるべきではない。
【０２６５】
当業者は、本明細書で開示される実施形態で説明される例との組み合わせで、ユニット及びアルゴリズムステップが、電子ハードウェア、又は、コンピュータソフトウェア及び電子ハードウェアの組み合わせにより実現され得るということに気付き得る。機能がハードウェアにより実行されるか、それともソフトウェアにより実行されるかは、技術的解決策の個別の用途及び設計制約条件に依存する。当業者は、異なる方法を使用して、説明される機能を各々の個別の用途ごとに実現し得るが、その実現が本発明の範囲を越えると考えられるべきではない。
【０２６６】
当業者により、好都合及び簡潔な説明の目的で、上述のシステム、装置、及びユニットの詳細な作動プロセスについては、上述の方法実施形態での対応するプロセスに対して参照が行われ得るということが明確に理解されることができ、詳細は、本明細書では再び説明されない。
【０２６７】
本出願で提供されるいくつかの実施形態では、開示されるシステム、装置、及び方法は、他の方式で実現され得る、ということが理解されるべきである。例えば、説明される装置実施形態は、単に例示的なものである。例えばユニット分割は、単に論理的な機能分割であり、実際の実現では他の分割であってよい。例えば、複数のユニット若しくは構成要素が、別のシステムに組み合わされるか、若しくは統合される場合があるか、又は、一部の特徴が、無視されるか、若しくは実行されない場合がある。加えて、表示又は論考される相互結合又は直接結合又は通信接続は、何らかのインタフェースを使用することにより実現される場合がある。装置又はユニットの間の間接結合又は通信接続は、電子的、機械的、又は他の形式で実現され得る。
【０２６８】
別々の部分として説明されるユニットは、物理的に別々である場合があるか、又はそうでない場合があり、ユニットとして表示される部分は、物理ユニットである場合があるか、又はそうでない場合があり、そして１つの場所に配置される場合があるか、又は複数のネットワークユニット上に分散される場合がある。ユニットの一部又はすべては、実施形態の解決策の目的を達成するために、実際の必要性に従って選択され得る。
【０２６９】
加えて、本発明の実施形態での機能ユニットは、１つの処理ユニットに統合される場合があるか、又は、ユニットの各々が単体で物理的に存在する場合があるか、又は、２つ以上のユニットが１つのユニットに統合される。
【０２７０】
機能が、ソフトウェア機能ユニットの形式で実現され、独立した製品として販売又は使用されるとき、機能は、コンピュータ読み取り可能な記憶媒体内に記憶され得る。そのような理解に基づいて、本発明の技術的解決策は本質的に、又は、従来技術に寄与する部分は、又は、技術的解決策の一部は、ソフトウェア製品の形式で実現され得る。ソフトウェア製品は、記憶媒体内に記憶され、コンピュータデバイス（パーソナルコンピュータ、サーバ、又はネットワークデバイスであり得る）に、本発明の実施形態で説明される方法のステップのすべて又は一部を実行するように命令するためのいくつかの命令を含む。上述の記憶媒体は、プログラムコードを記憶し得る任意の媒体、例えるなら、ＵＳＢフラッシュドライブ、リムーバブルハードディスク、読み出し専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、又は光ディスクを含む。
【０２７１】
上述の説明は、単に、本発明の特定の実現方式であるが、本発明の保護範囲を限定することを意図されない。本発明で開示される技術的範囲内で当業者により容易に考え出される任意の変形又は置換は、本発明の保護範囲内にあるものとする。したがって本発明の保護範囲は、請求項の保護範囲に従うものとする。
【図１】
0006426844.tif 000004
【図２】
0006426844.tif 000005
【図３】
0006426844.tif 000006
【図４】
0006426844.tif 000007
【図５】
0006426844.tif 000008
【図６】
0006426844.tif 000009
【図７】
0006426844.tif 000010
【図８】
0006426844.tif 000011